(57)【要約】  ＴＴＩ長が同一及び／又は異なる複数のキャリアを用いて通信する場合に、ユーザ端末がＵＣＩを適切に送信すること。本発明のユーザ端末は、下りリンク（ＤＬ）共有チャネルを受信する受信部と、前記ＤＬ共有チャネルの再送制御情報を含む上りリンク制御情報（ＵＣＩ）を送信する送信部と、前記ＤＬ共有チャネルを受信するＤＬキャリアと伝送時間間隔（ＴＴＩ）の時間長が同一及び／又は異なる一以上の上りリンク（ＵＬ）キャリアにおけるＵＬ共有チャネルの割り当てに基づいて、前記ＵＣＩの送信を制御する制御部と、を具備する。
2018012456.tif 000002
【特許請求の範囲】
【請求項１】
下りリンク（ＤＬ）共有チャネルを受信する受信部と、
前記ＤＬ共有チャネルの再送制御情報を含む上りリンク制御情報（ＵＣＩ）を送信する送信部と、
前記ＤＬ共有チャネルを受信するＤＬキャリアと伝送時間間隔（ＴＴＩ）の時間長が同一及び／又は異なる一以上の上りリンク（ＵＬ）キャリアにおけるＵＬ共有チャネルの割り当てに基づいて、前記ＵＣＩの送信を制御する制御部と、
を具備することを特徴とするユーザ端末。
【請求項２】
前記制御部は、前記時間長が同一である一以上のＵＬキャリアと、前記ＵＬキャリアと該時間長が同一及び／又は異なる一以上のＤＬキャリアとを含むグループを設定し、
前記ＤＬ共有チャネルを受信するＤＬキャリアと同一のグループ内で、前記ＵＣＩを送信するＵＬキャリアを決定することを特徴とする請求項１に記載のユーザ端末。
【請求項３】
前記制御部は、前記ＵＬ共有チャネルが割り当てられる前記ＵＬキャリアの前記時間長に基づいて、前記ＵＣＩを送信するＵＬキャリアを決定することを特徴とする請求項１に記載のユーザ端末。
【請求項４】
前記制御部は、前記ＵＬ共有チャネルを割り当てるＵＬグラントに含まれる指示情報に基づいて、前記ＵＣＩを送信するＵＬキャリアを決定することを特徴とする請求項１に記載のユーザ端末。
【請求項５】
前記制御部は、前記ＤＬキャリアと前記ＵＬキャリアとの前記時間長とが異なる場合、前記ＤＬ共有チャネルを受信する第１のＴＴＩから所定期間以後の最も早いＵＬキャリアの第２のＴＴＩにおける、前記ＵＬ共有チャネルの割り当てに基づいて、前記ＵＣＩの送信を制御することを特徴とする請求項１から請求項４のいずれかに記載のユーザ端末。
【請求項６】
前記ＵＬ共有チャネルを割り当てるＵＬグラントを受信するＤＬキャリアと前記ＵＬキャリアとの前記時間長とが異なる場合、前記ＵＬグラントを受信する第３のＴＴＩに対応するＵＬキャリアの第４のＴＴＩから所定期間以後の第５のＴＴＩにおいて、前記ＵＬ共有チャネルが割り当てられることを特徴とする請求項１から請求項５のいずれかに記載のユーザ端末。
【請求項７】
ユーザ端末において、下りリンク（ＤＬ）共有チャネルを受信する工程と、
前記ユーザ端末において、前記ＤＬ共有チャネルの再送制御情報を含む上りリンク制御情報（ＵＣＩ）を送信する工程と、
前記ユーザ端末において、前記ＤＬ共有チャネルを受信するＤＬキャリアと伝送時間間隔（ＴＴＩ）の時間長が同一及び／又は異なる一以上の上りリンク（ＵＬ）キャリアにおけるＵＬ共有チャネルの割り当てに基づいて、前記ＵＣＩの送信を制御する工程と、
を有することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
既存のＬＴＥシステム（例えば、ＬＴＥ  Ｒｅｌ．１０以降）では、広帯域化を図るために、複数のキャリア（コンポーネントキャリア（ＣＣ：Component  Carrier）、セル）を統合するキャリアアグリゲーション（ＣＡ：Carrier  Aggregation）が導入されている。各キャリアは、ＬＴＥ  Ｒｅｌ．８のシステム帯域を一単位として構成される。また、ＣＡでは、同一の無線基地局（eNB：eNodeB）の複数のＣＣがユーザ端末（ＵＥ：User  Equipment）に設定される。【０００４】
また、既存のＬＴＥシステム（例えば、ＬＴＥ  Ｒｅｌ．１２以降）では、異なる無線基地局の複数のセルグループ（ＣＧ：Cell  Group）がユーザ端末に設定されるデュアルコネクティビティ（ＤＣ：Dual  Connectivity）も導入されている。各セルグループは、少なくとも一つのキャリア（ＣＣ、セル）で構成される。異なる無線基地局の複数のキャリアが統合されるため、ＤＣは、基地局間ＣＡ（Inter-eNB  CA）などとも呼ばれる。【０００５】
また、既存のＬＴＥシステム（例えば、ＬＴＥ  Ｒｅｌ．８−１３）では、１ｍｓの伝送時間間隔（ＴＴＩ：Transmission  Time  Interval）（サブフレームともいう）を用いて、下りリンク（ＤＬ：Downlink）及び／又は上りリンク（ＵＬ：Uplink）の通信が行われる。当該１ｍｓのＴＴＩは、チャネル符号化された１データ・パケットの送信時間単位であり、スケジューリング、リンクアダプテーション、再送制御（ＨＡＲＱ−ＡＣＫ：Hybrid  Automatic  Repeat  reQuest−Acknowledge）などの処理単位となる。【０００６】
また、既存のＬＴＥシステム（例えば、ＬＴＥ  Ｒｅｌ．８−１３）では、上り制御情報（ＵＣＩ：Uplink  Control  Information）を、ＵＬ共有チャネル（例えば、ＰＵＳＣＨ：Physical  Uplink  Shared  Channel）又はＵＬ制御チャネル（例えば、ＰＵＣＣＨ：Physical  Uplink  Control  Channel）を用いて送信する。
【先行技術文献】
【非特許文献】
【０００７】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００８】
将来の無線通信システム（例えば、ＬＴＥ  Ｒｅｌ．１４又は１５、５Ｇ、ＮＲなど）では、遅延削減（Latency  reduction）のため、既存のＬＴＥシステムの１ｍｓのＴＴＩとは異なる時間長（ＴＴＩ長）のＴＴＩ（例えば、１ｍｓより短いＴＴＩ）をサポートすることが検討されている。【０００９】
また、将来の無線通信システムでは、ユーザ端末が、ＴＴＩ長が同一及び／又は異なる複数のキャリア（ＣＣ、セル）を用いて通信することが想定される。しかしながら、既存のＬＴＥシステムでは、ユーザ端末は、異なるＴＴＩ長の複数のキャリアを用いて通信することを想定していない。したがって、ユーザ端末が、ＴＴＩ長が同一及び／又は異なる複数のキャリアを用いて通信する場合に、既存のＬＴＥシステムにおけるＵＣＩの送信方法をそのまま適用すると、適切にＵＣＩを送信することができない恐れがある。【００１０】
本発明はかかる点に鑑みてなされたものであり、ＴＴＩ長が同一及び／又は異なる複数のキャリアを用いて通信する場合に、ＵＣＩを適切に送信可能なユーザ端末及び無線通信方法を提供することを目的の一つとする。
【課題を解決するための手段】
【００１１】
本発明のユーザ端末の一態様は、下りリンク（ＤＬ）共有チャネルを受信する受信部と、前記ＤＬ共有チャネルの再送制御情報を含む上りリンク制御情報（ＵＣＩ）を送信する送信部と、前記ＤＬ共有チャネルを受信するＤＬキャリアと伝送時間間隔（ＴＴＩ）の時間長が同一及び／又は異なる一以上の上りリンク（ＵＬ）キャリアにおけるＵＬ共有チャネルの割り当てに基づいて、前記ＵＣＩの送信を制御する制御部と、を具備することを特徴とする。
【発明の効果】
【００１２】
本発明によれば、ＴＴＩ長が同一及び／又は異なる複数のキャリアを用いて通信する場合に、ユーザ端末がＵＣＩを適切に送信できる。
【図面の簡単な説明】
【００１３】
【図１】ＴＴＩ長が同一及び異なる複数のＵＬキャリアの一例を示す図である。
【図２】第１の態様に係るｓＴＴＩグループの一例を示す図である。
【図３】第１の態様のケース１に係るＵＣＩの送信制御の一例を示す図である。
【図４】第１の態様のケース２に係るＵＣＩの送信制御の一例を示す図である。
【図５】第１の態様のケース３に係るＵＣＩの送信制御の一例を示す図である。
【図６】第２の態様に係るＵＣＩの送信制御の一例を示す図である。
【図７】第２の態様に係るＵＣＩの送信制御の一例を示す図である。
【図８】第３の態様に係るｓＰＵＳＣＨの最小タイミングの一例を示す図である。
【図９】第３の態様の指示例１に係るＵＣＩの送信制御の一例を示す図である。
【図１０】第３の態様の指示例２に係るＵＣＩの送信制御の一例を示す図である。
【図１１】第４の態様に係るＵＣＩの送信制御の一例を示す図である。
【図１２】図１２Ａ〜１２Ｄは、第５の態様に係るシグナリングの一例を示す図である。
【図１３】本実施の形態に係る無線通信システムの概略構成の一例を示す図である。
【図１４】本実施の形態に係る無線基地局の全体構成の一例を示す図である。
【図１５】本実施の形態に係る無線基地局の機能構成の一例を示す図である。
【図１６】本実施の形態に係るユーザ端末の全体構成の一例を示す図である。
【図１７】本実施の形態に係るユーザ端末の機能構成の一例を示す図である。
【図１８】本実施の形態に係る無線基地局及びユーザ端末のハードウェア構成の一例を示す図である。
【発明を実施するための形態】
【００１４】
既存のＬＴＥシステムでは、ユーザ端末は、１ｍｓのＴＴＩを用いて、ＤＬ及び／又はＵＬの通信を行う。１ｍｓのＴＴＩは、１ｍｓの時間長を有する。１ｍｓのＴＴＩは、ＴＴＩ、サブフレーム、通常ＴＴＩ、ロングＴＴＩ、通常サブフレーム、ロングサブフレーム等とも呼ばれ、２つのスロットで構成される。また、１ｍｓのＴＴＩ内の各シンボルには、サイクリックプリフィクス（ＣＰ）が付加される。
【００１５】
既存のＬＴＥシステムにおいて、各シンボルに通常ＣＰ（例えば、４．７６μｓ）が付加される場合、１ｍｓのＴＴＩは、１４シンボル（スロットあたり７シンボル）を含んで構成される。一方、各シンボルに通常ＣＰより長い拡張ＣＰ（例えば、１６．６７μｓ）が付加される場合、１ｍｓのＴＴＩは、１２シンボル（スロットあたり６シンボル）を含んで構成される。また、各シンボルの時間長（シンボル長）は、６６．７μｓであり、サブキャリア間隔は、１５ｋＨｚである。なお、シンボル長とサブキャリア間隔は互いに逆数の関係にある。
【００１６】
一方、将来の無線通信システム（例えば、ＬＴＥ  Ｒｅｌ．１４又は１５、５Ｇ、ＮＲなど）では、高速で大容量の通信（ｅＭＢＢ：enhanced  Mobile  Broad  Band）、ＩｏＴ（Internet  of  Things）やＭＴＣ（Machine  Type  Communication）などの機器間通信（Ｍ２Ｍ：Machine-to-Machine）用のデバイス（ユーザ端末）からの大量接続（ｍＭＴＣ：massive  ＭＴＣ）、低遅延で高信頼の通信（ＵＲＬＬＣ：Ultra-reliable  and  low  latency  communication）など、多様なサービスを単一のフレームワークで収容することが望まれている。ＵＲＬＬＣでは、ｅＭＢＢやｍＭＴＣよりも高い遅延削減効果が求められる。
【００１７】
このため、将来の無線通信システムでは、既存のＬＴＥシステムの１ｍｓのＴＴＩとは異なる時間長のＴＴＩをサポートすることが検討されている。例えば、遅延削減（Latency  Reduction）のため、１ｍｓより短いＴＴＩをサポートすることが検討されている。当該１ｍｓより短いＴＴＩは、短縮ＴＴＩ、ショートＴＴＩ、短縮サブフレーム、ショートサブフレーム、ｓＴＴＩ等とも呼ばれる（以下、ｓＴＴＩという）。
【００１８】
例えば、周波数分割複信（ＦＤＤ：Frequency  Division  Duplex）（フレーム構造（ＦＳ：Frame  Structure）タイプ１等ともいう）では、ＤＬにおいて、２シンボルのｓＴＴＩ及び／又は１スロットのｓＴＴＩをサポートすることが検討されている。また、ＵＬにおいて、２シンボルのｓＴＴＩ、４シンボルのｓＴＴＩ、１スロットのｓＴＴＩの少なくとも一つをサポートすることが検討されている。
【００１９】
また、時間分割複信（ＴＤＤ：Time  Division  Duplex）（ＦＳタイプ２等ともいう）では、ＬＴＥ  Ｒｅｌ．１４では、ＤＬ及びＵＬにおいて、１スロットのｓＴＴＩをサポートし、ＬＴＥ  Ｒｅｌ．１５以降で、１スロットよりも少ないシンボル数のｓＴＴＩをサポートすることが検討されている。
【００２０】
なお、１スロットのｓＴＴＩは、既存のＬＴＥシステムの１スロットと同様に７又は６シンボルを含んで構成されてもよいし、異なるシンボル数で構成されてもよい。また、各シンボルのシンボル長は、既存のＬＴＥシステムと同一であってもよいし、異なっていてもよい。また、ｓＴＴＩ内の少なくとも一つのシンボルには、所定の時間長のＣＰが付加されてもよいし、付加されなくともよい。また、ｓＴＴＩ内の少なくとも一つのシンボルは、他のｓＴＴＩと共用されてもよい。
【００２１】
また、将来の無線通信システムでは、ユーザ端末が、ＴＴＩ長が同一及び／又は異なる複数のキャリア（ＣＣ、セル）を用いて通信する（例えば、キャリアアグリゲーション（ＣＡ）又はデュアルコネクティビティ（ＤＣ）を行う）ことが想定される。例えば、ユーザ端末は、ｓＴＴＩのシンボル数が同一及び／又は異なる複数のキャリア（例えば、１スロットのｓＴＴＩが用いられるキャリアと２シンボルのｓＴＴＩが用いられるキャリア）を用いて通信を行うことが想定される。
【００２２】
ところで、既存のＬＴＥシステム（例えば、ＬＴＥ  Ｒｅｌ．８−１３）では、ＵＣＩを、ＵＬ共有チャネル（以下、ＰＵＳＣＨともいう）又はＵＬ制御チャネル（以下、ＰＵＣＣＨと略する）を用いて送信する。ここで、ＵＣＩは、ＤＬ共有チャネル（例えば、ＰＤＳＣＨ：Physical  Downlink  Shared  Channel、以下、ＰＤＳＣＨともいう）の再送制御情報（例えば、ＡＣＫ又はＮＡＣＫ（Negative  ACK）（以下、Ａ／Ｎと略する）、ＨＡＲＱ−ＡＣＫ等ともいう）と、チャネル状態情報（ＣＳＩ：Channel  State  Information）と、スケジューリング要求（ＳＲ：Scheduling  Request）と、の少なくとも一つを含む。
【００２３】
例えば、既存のＬＴＥシステムでは、ユーザ端末が、ＴＴＩ＃ｎでＰＤＳＣＨを受信する場合、所定時間後のＴＴＩ（例えば、４ｍｓ後のＴＴＩ＃ｎ＋４）において、当該ＰＤＳＣＨのＡ／Ｎを送信する。前記所定時間後のＴＴＩ（例えば、ＴＴＩ＃ｎ＋４）においてＰＵＳＣＨが割り当てられている場合、ユーザ端末は、当該ＰＵＳＣＨを用いてＡ／Ｎを送信する。一方、前記所定時間後のＴＴＩ（例えば、ＴＴＩ＃ｎ＋４）においてＰＵＳＣＨが割り当てられていない場合、ユーザ端末は、ＰＵＣＣＨを用いてＡ／Ｎを送信する。
【００２４】
また、既存のＬＴＥシステムでは、ユーザ端末が、ＴＴＩ＃ｎで非周期のＣＳＩの送信要求（Ａ−ＣＳＩトリガ）を受信する場合、所定時間後のＴＴＩ（例えば、４ｍｓ後のＴＴＩ＃ｎ＋４）において、ＰＵＳＣＨを用いてＣＳＩを送信する。
【００２５】
また、既存のＬＴＥシステム（例えば、Ｒｅｌ．１３  ＣＡ）では、同一のＴＴＩにおいて異なるキャリア（セル、ＣＣ）の複数のＰＵＳＣＨが割り当てられる場合、ＵＣＩは、最小のインデックス番号のキャリアで送信される。
【００２６】
しかしながら、既存のＬＴＥシステムでは、ユーザ端末は、ＤＬキャリアと異なるＴＴＩ長の複数のＵＬキャリアを用いて通信することを想定していない。したがって、ユーザ端末が、ＤＬキャリアと同一及び／又は異なるＴＴＩ長の一以上のＵＬキャリアを用いて通信する場合に、既存のＬＴＥシステムにおけるＵＣＩの送信方法をそのまま適用すると、適切にＵＣＩを送信することができない恐れがある。
【００２７】
図１は、ＴＴＩ長が同一及び異なる複数のキャリアの一例を示す図である。図１では、ユーザ端末が、１スロット（例えば、７シンボル）のｓＴＴＩが用いられるＵＬキャリア（ＵＬ  ＣＣ）１と、４シンボルのｓＴＴＩが用いられるＵＬキャリア２と、２シンボルのｓＴＴＩが用いられるＵＬキャリア３及び４と、を用いてＵＬ通信（例えば、ＵＬ  ＣＡ）を行う場合が示される。
【００２８】
各キャリア（ＵＬキャリア及び／又はＤＬキャリアを含む）において、複数のｓＴＴＩは、それぞれ異なるシンボルで構成されてもよいし、当該複数のｓＴＴＩ間で共用される一以上のシンボル（共用シンボル）を含んで構成されてもよい。例えば、図１では、ｓＴＴＩが１スロット又は２シンボルで構成される場合、複数のｓＴＴＩはそれぞれ異なるシンボルで構成される。一方、ｓＴＴＩが４シンボルで構成される場合、２つのｓＴＴＩ間で共用される共用シンボルが設けられる。
【００２９】
共用シンボルでは、複数のｓＴＴＩそれぞれのＰＵＳＣＨの復調用参照信号（ＤＭＲＳ：DeModulation  Reference  Signal）（Shared  ＤＭＲＳ）が、配置される。例えば、当該複数のｓＴＴＩのＤＭＲＳは、共用シンボルにおいて、巡回シフト（ＣＳ）及び／又は櫛の歯状のサブキャリア配置（Ｃｏｍｂ）により多重されてもよい。例えば、図１では、１スロット内の前半のｓＴＴＩのＤＭＲＳと後半のｓＴＴＩのＤＭＲＳとが、ＣＳ又はＣｏｍｂにより多重される。
【００３０】
図１では、ＵＬキャリア１の左から１番目及び４番目のｓＴＴＩにおいて、ユーザ端末に対してＰＵＳＣＨが割り当てられる。また、ＵＬキャリア２の左から１番目及び６番目のｓＴＴＩにおいて、ユーザ端末に対してＰＵＳＣＨが割り当てられる。また、ＵＬキャリア３及び４の左から１番目及び９番目のｓＴＴＩにおいて、ユーザ端末に対してＰＵＳＣＨが割り当てられる。なお、ｓＴＴＩに割り当てられるＰＵＳＣＨは、１ｍｓのＴＴＩに割り当てられるＰＵＳＣＨと区別するため、ｓＰＵＳＣＨとも呼ばれる。
【００３１】
図１に示す場合、同一時間において、ＴＴＩ長（ｓＴＴＩ長）が同一及び／又は異なる複数のｓＴＴＩそれぞれに、同一のユーザ端末に対するｓＰＵＳＣＨが割り当てられることが想定される。例えば、図１では、ＴＴＩ長が異なるＵＬキャリア１〜４の左から１番目のｓＴＴＩにおいて、同一のユーザ端末に重複して複数のｓＰＵＳＣＨが割り当てられている。この場合、当該複数のＵＬキャリアのｓＰＵＳＣＨのうち、どのＵＬキャリアのｓＰＵＳＣＨにＵＣＩを多重するかが問題となる。
【００３２】
このように、ユーザ端末が、ＤＬキャリアと同一及び／又は異なるＴＴＩ長の一以上のＵＬキャリアを用いて通信する場合、どのタイミングでどのＵＬキャリアを用いて、ＵＣＩを送信するかが問題となる。また、ＤＬキャリアと同一及び／又は異なるＴＴＩ長の一以上のＵＬキャリアのＰＵＳＣＨをどのタイミングで割り当てるかも問題となる。
【００３３】
そこで、本発明者らは、ＤＬ共有チャネルを受信するＤＬキャリアと同一及び／又は異なるＴＴＩ長のＵＬキャリアを用いてＵＣＩを送信する方法を検討し、本発明に至った。また、本発明者らは、ＵＬグラントを受信するＤＬキャリアと同一及び／又は異なるＴＴＩ長のＵＬキャリアに割り当てられるＰＵＳＣＨのタイミングを検討し、本発明に至った。
【００３４】
以下、本実施の形態について詳細に説明する。なお、以下では、ユーザ端末が、ＴＴＩ長が同一及び／又は異なる複数のキャリアを用いてキャリアアグリゲーション（ＣＡ）を行う場合を想定するが、これに限られない。本実施の形態は、ユーザ端末が、ＴＴＩ長が同一及び／又は異なる複数のキャリアを用いてデュアルコネクティビティ（ＤＣ）を行う場合（例えば、セルグループ（ＣＧ）内でＴＴＩ長が同一及び／又は異なる複数のキャリアを用いる場合）にも適宜適用可能である。
【００３５】
また、以下では、ｓＴＴＩ長が同一及び／又は異なる複数のキャリアを用いた通信が示されるが、本実施の形態に係る通信では、ｓＴＴＩだけでなく、１ｍｓのＴＴＩが用いられるキャリアが用いられてもよい。また、本実施の形態は、同一キャリア内においてＴＴＩ長が異なるＴＴＩ（ｓＴＴＩ、１ｍｓのＴＴＩを含む）が存在する場合を排除するものではない。
【００３６】
また、本実施の形態において、複数のキャリア間においてシンボル長は同一であるものとするが、これに限られない。本実施の形態は、ユーザ端末が、ニューメロロジーが異なる複数のキャリアを用いて通信を行う場合にも適宜適用可能である。ここで、ニューメロロジーとは、周波数方向及び／又は時間方向における通信パラメータ（例えば、サブキャリア間隔、帯域幅、シンボル長、ＣＰ長、ＴＴＩ長、ＴＴＩあたりのシンボル数、無線フレーム構成、フィルタリング処理、ウィンドウイング処理などの少なくとも一つ）である。
【００３７】
本実施の形態において、ユーザ端末は、ＤＬ共有チャネル（以下、ＰＤＳＣＨ、１ｍｓのＴＴＩのＰＤＳＣＨと区別する場合、ｓＰＤＳＣＨともいう）を受信する受信部と、当該ＰＤＳＣＨの再送制御情報（以下、Ａ／Ｎという）を含むＵＣＩを送信する送信部と、を具備する。具体的には、ユーザ端末は、ｓＰＤＳＣＨを受信するＤＬキャリアとｓＴＴＩ長が同一及び／又は異なる一以上のＵＬキャリアにおけるＵＬ共有チャネル（以下、ｓＰＵＳＣＨという）の割り当てに基づいて、当該ＵＣＩの送信を制御する（第１−３の態様）。なお、当該ＵＣＩには、ＰＤＳＣＨのＡ／Ｎに加えて、チャネル状態情報（ＣＳＩ）及び／又はＳＲが含まれてもよい。
【００３８】
また、本実施の形態において、ユーザ端末は、ＣＳＩの送信要求情報を含むＵＬグラントを受信する受信部と、前記ＵＬグラントにより割り当てられるＰＵＳＣＨを用いてＣＳＩを含むＵＣＩを送信する送信部と、を具備する。具体的には、ユーザ端末は、ＵＬグラントを受信するＤＬキャリアのＴＴＩ（以下、ＤＬ  ＴＴＩという）に対応するＵＬキャリアのＴＴＩ（以下、ＵＬ  ＴＴＩという）から所定期間以後のＵＬ  ＴＴＩにおいて、当該ＵＣＩの送信を制御する（第４の態様）。なお、当該ＵＣＩには、ＣＳＩに加えて、ＰＤＳＣＨのＡ／Ｎ及び／又はＳＲが含まれてもよい。
【００３９】
（第１の態様）
第１の態様では、ユーザ端末は、ｓＴＴＩ長が同一である一以上のＵＬキャリアと、当該ＵＬキャリアとｓＴＴＩ長が同一及び／又は異なる一以上のＤＬキャリアとを含むグループ（ｓＴＴＩグループ）を設定し、当該ｓＴＴＩグループ毎にＵＣＩの送信を制御する。
【００４０】
図２は、第１の態様に係るｓＴＴＩグループの一例を示す図である。図２に示すように、各ｓＴＴＩグループは、同じｓＴＴＩ長の一以上のＵＬキャリアを含んで構成される。
【００４１】
例えば、図２では、ｓＴＴＩグループ１は、ｓＴＴＩ長が１スロットであるＵＬキャリア１及び２を含んで構成される。また、ｓＴＴＩグループ２は、ｓＴＴＩ長が４シンボルであるＵＬキャリア３及び４を含んで構成される。また、ｓＴＴＩグループ３は、ｓＴＴＩ長が２シンボルであるＵＬキャリア５及び６を含んで構成される。
【００４２】
なお、図２では、ＵＬキャリアだけが示されるが、各ｓＴＴＩグループは、ＵＬキャリアと同一のｓＴＴＩ長のＤＬキャリア、及び／又は、当該ＵＬキャリアと異なるｓＴＴＩ長のＤＬキャリアを含んでもよい。
【００４３】
各ｓＴＴＩグループの構成情報は、上位レイヤシグナリング（例えば、ＲＲＣシグナリング）により設定される。当該構成情報は、各ｓＴＴＩグループに含まれるキャリアのインデックス、時間長、ｓＴＴＩ内のシンボル数などの少なくとも一つを含んでもよい。なお、当該構成情報は、上位レイヤシグナリング、システム情報、物理レイヤシグナリング（Ｌ１／Ｌ２制御チャネル）の少なくとも一つにより設定されてもよい。物理レイヤシグナリングによりｓＴＴＩグループの時間長やｓＴＴＩ内のシンボル数などを設定する場合、ＲＲＣシグナリングの制御よりも短い周期（例えば１ｍｓ、５ｍｓ、１０ｍｓなど）で、ｓＴＴＩの時間長やｓＴＴＩ内のシンボル数を切り替えることができる。この場合、ユーザ端末は、各ｓＴＴＩグループに含まれる複数のＵＬキャリア間で、ある時間区間におけるｓＴＴＩは、その時間長やｓＴＴＩ内のシンボル数が同じであると想定してもよい。
【００４４】
次に、以上のように設定されるｓＴＴＩグループを用いたＵＣＩの送信制御について説明する。ユーザ端末は、ＰＤＳＣＨを受信するＤＬキャリアと同一のｓＴＴＩグループ内で、ＵＣＩを送信するＵＬキャリアを決定してもよい。以下では、各ｓＴＴＩグループが同一のｓＴＴＩ長のＵＬキャリア及びＤＬキャリアだけを含んで構成される場合（ケース１）と、異なるｓＴＴＩ長のＵＬキャリア及びＤＬキャリアを含んで構成される場合（ケース２及び３）とにおける、ＵＣＩの送信制御について説明する。
【００４５】
＜ケース１＞
ケース１では、各ｓＴＴＩグループに、同一のｓＴＴＩ長のＵＬキャリアと、当該ＵＬキャリアと同一のＴＴＩ長のＤＬキャリアが含まれる場合について説明する。
【００４６】
ケース１において、ユーザ端末は、ｓＰＤＳＣＨを受信したｓＴＴＩから所定期間（例えば、ｋ個のｓＴＴＩ）後のｓＴＴＩ（フィードバックｓＴＴＩ）において、当該ｓＰＤＳＣＨのＡ／Ｎを含むＵＣＩを送信する。なお、以下では、ＰＤＳＣＨのＡ／Ｎを含むＵＣＩを送信する例を説明するが、当該ＵＣＩには、ＣＳＩ及び／又はＳＲが含まれてもよい。
【００４７】
図３は、第１の態様のケース１に係るＵＣＩの送信制御の一例を示す図である。例えば、図３では、ｓＴＴＩグループ１は、ｓＴＴＩ長が１スロットであるＵＬキャリア１及び２とＤＬキャリア１と、を含んで構成される。また、ｓＴＴＩグループ２は、ｓＴＴＩ長が２シンボルであるＵＬキャリア３及び４とＤＬキャリア２及び３と、を含んで構成される。すなわち、図３の各ｓＴＴＩグループでは、ＤＬキャリアとＵＬキャリアのｓＴＴＩ長は同一である。
【００４８】
図３の各ｓＴＴＩグループにおいて、ｓＴＴＩ＃ｎにおいてｓＰＤＳＣＨが受信される場合、ユーザ端末は、フィードバックｓＴＴＩであるｓＴＴＩ＃ｎ＋ｋにおいて、同じｓＴＴＩグループ内のＵＬキャリアを用いて、当該ｓＰＤＳＣＨのＡ／Ｎを含むＵＣＩを送信する。ここで、ｋは、ユーザ端末の処理時間を考慮して決定される値であり、例えば、４≦ｋ≦８であるが、これに限られない。なお、ｋは、時間長に応じて変更されてもよい。
【００４９】
ｓＴＴＩ＃ｎ＋ｋにおいて、同じｓＴＴＩグループ内のいずれのＵＬキャリアにもｓＰＵＳＣＨが割り当てられていない場合、ユーザ端末は、ＰＵＣＣＨ（１ｍｓのＴＴＩに割り当てられるＰＵＣＣＨ、又は、ｓＴＴＩに割り当てられるＰＵＣＣＨ（ｓＰＵＣＣＨ））を用いて、上記Ａ／Ｎを含むＵＣＩを送信する。
【００５０】
ｓＴＴＩ＃ｎ＋ｋにおいて、同じｓＴＴＩグループ内の単一のＵＬキャリアでｓＰＵＳＣＨが割り当てられる場合、ユーザ端末は、当該ｓＰＵＳＣＨを用いて、上記Ａ／Ｎを含むＵＣＩを送信する。
【００５１】
ｓＴＴＩ＃ｎ＋ｋにおいて、同じｓＴＴＩグループ内の複数のＵＬキャリアにおいてｓＰＵＳＣＨが割り当てられる場合、ユーザ端末は、当該複数のＵＬキャリアのうちで最小のインデックス番号のＵＬキャリアのｓＰＵＳＣＨを用いて、上記Ａ／Ｎを含むＵＣＩを送信する。
【００５２】
例えば、図３のｓＴＴＩグループ１のｓＴＴＩ＃ｎ＋４（ここでは、ｋ＝４）では、ＵＬキャリア１及び２の双方においてｓＰＵＳＣＨが割り当てられる。この場合、ユーザ端末は、ｓＴＴＩ＃ｎ＋４において、ＵＬキャリア１及び２のうちインデックス番号が小さいＵＬキャリア１のｓＰＵＳＣＨを用いて、ｓＴＴＩ＃ｎで受信したｓＰＤＳＣＨのＡ／Ｎを含むＵＣＩを送信する。
【００５３】
また、図３のｓＴＴＩグループ２のｓＴＴＩ＃ｎ＋４（ここでは、ｋ＝４）では、ＵＬキャリア３だけにｓＰＵＳＣＨが割り当てられる。この場合、ユーザ端末は、ｓＴＴＩ＃ｎ＋４において、キャリア３のｓＰＵＳＣＨを用いて、ｓＴＴＩ＃ｎでＤＬキャリア２及び３の双方で受信したｓＰＤＳＣＨのＡ／Ｎを含むＵＣＩを送信する。
【００５４】
同様に、図３のｓＴＴＩグループ２のｓＴＴＩ＃ｎ＋１０では、ＵＬキャリア４だけにｓＰＵＳＣＨが割り当てられる。この場合、ユーザ端末は、ｓＴＴＩ＃ｎ＋１０において、キャリア４のｓＰＵＳＣＨを用いて、ｓＴＴＩ＃ｎ＋６でＤＬキャリア２及び３の双方で受信したｓＰＤＳＣＨのＡ／Ｎを含むＵＣＩを送信する。
【００５５】
また、図３のｓＴＴＩグループ２のｓＴＴＩ＃ｎ＋１５では、ＵＬキャリア３及び４の双方にｓＰＵＳＣＨが割り当てられる。この場合、ユーザ端末は、ｓＴＴＩ＃ｎ＋１５において、インデックス番号が小さいキャリア３のｓＰＵＳＣＨを用いて、ｓＴＴＩ＃ｎ＋１１でＤＬキャリア２及び３の双方で受信したｓＰＤＳＣＨのＡ／Ｎを含むＵＣＩを送信する。
【００５６】
＜ケース２＞
ケース２では、各ｓＴＴＩグループに、同一のｓＴＴＩ長のＵＬキャリアと、当該ＵＬキャリアとは異なるＴＴＩ長のＤＬキャリアが含まれる場合について説明する。以下では、ケース１との相違点を中心に説明する。
【００５７】
ケース２では、ユーザ端末は、ｓＴＴＩグループ内で、ｓＰＤＳＣＨを受信したｓＴＴＩ（ＤＬ  ｓＴＴＩ）から所定期間（例えば、ｋ個のＤＬ  ｓＴＴＩ）以後に開始する最も早いＵＬキャリアのｓＴＴＩ（ＵＬ  ｓＴＴＩ）（フィードバックｓＴＴＩ）において、当該ｓＰＤＳＣＨのＡ／Ｎを含むＵＣＩを送信する。
【００５８】
図４は、第１の態様のケース２に係るＵＣＩの送信制御の一例を示す図である。例えば、図４では、ｓＴＴＩグループ１は、ｓＴＴＩ長が４シンボルであるＵＬキャリア１、２及び３と、ｓＴＴＩ長が１スロットであるＤＬキャリア１と、ｓＴＴＩ長が２シンボルであるＤＬキャリア２及び３を含んで構成される。すなわち、図４のｓＴＴＩグループ１では、ＤＬキャリア１−３と同一のｓＴＴＩ長のＵＬキャリアは存在しない。
【００５９】
図４に示すように、ｓＴＴＩグループ内のＵＬ  ｓＴＴＩ長とＤＬ  ｓＴＴＩ長とが異なる場合、ｓＰＤＳＣＨを受信したＤＬ  ｓＴＴＩから所定数のＤＬ  ｓＴＴＩと同じタイミングで開始されるＵＬ  ｓＴＴＩが存在するとは限らない。このため、図４では、ＤＬ  ｓＴＴＩ＃ｎ（ここでは、ｋ＝４）でｓＰＤＳＣＨを受信する場合、ユーザ端末は、同じｓＴＴＩグループ内でＤＬ  ｓＴＴＩ＃ｎ＋ｋ以後に開始される最も早いＵＬ  ｓＴＴＩ（フィードバックｓＴＴＩ）を用いて、当該ｓＰＤＳＣＨのＡ／Ｎを含むＵＣＩを送信する。
【００６０】
当該フィードバックｓＴＴＩにおいて、同じｓＴＴＩグループ内のいずれのＵＬキャリアにもｓＰＵＳＣＨが割り当てられていない場合、ユーザ端末は、ＰＵＣＣＨ（１ｍｓのＴＴＩに割り当てられるＰＵＣＣＨ、又は、ｓＴＴＩに割り当てられるＰＵＣＣＨ（ｓＰＵＣＣＨ））を用いて、上記Ａ／Ｎを含むＵＣＩを送信する。
【００６１】
当該フィードバックｓＴＴＩにおいて、同じｓＴＴＩグループ内の単一のＵＬキャリアでｓＰＵＳＣＨが割り当てられる場合、ユーザ端末は、当該ｓＰＵＳＣＨを用いて、上記Ａ／Ｎを含むＵＣＩを送信する。
【００６２】
当該フィードバックｓＴＴＩにおいて、同じｓＴＴＩグループ内の複数のＵＬキャリアにおいてｓＰＵＳＣＨが割り当てられる場合、ユーザ端末は、当該複数のＵＬキャリアのうちで最小のインデックス番号のＵＬキャリアのｓＰＵＳＣＨを用いて、上記Ａ／Ｎを含むＵＣＩを送信する。
【００６３】
例えば、図４では、ユーザ端末は、ＤＬキャリア１のＤＬ  ｓＴＴＩ＃ｎでｓＰＤＳＣＨを受信するので、同じｓＴＴＩグループ１において、当該ＤＬキャリア１のＤＬ  ｓＴＴＩ＃ｎ＋４（ここでは、ｋ＝４）以後の最も早いＵＬ  ｓＴＴＩ＃ｎ＋８で、当該ｓＰＤＳＣＨのＡ／Ｎを含むＵＣＩを送信する。図４のＵＬ  ｓＴＴＩ＃ｎ＋８では、ＵＬキャリア１及び２の双方でｓＰＵＳＣＨがユーザ端末に割り当てられる。このため、ＵＬ  ｓＴＴＩ＃ｎ＋８において、ユーザ端末は、インデックス番号が最も小さいＵＬキャリア１のｓＰＵＳＣＨを用いて、上記Ａ／Ｎを含むＵＣＩを送信する。
【００６４】
また、図４では、ユーザ端末は、ＤＬキャリア２及び３のＤＬ  ｓＴＴＩ＃ｎでｓＰＤＳＣＨを受信するので、同じｓＴＴＩグループ１において、当該ＤＬキャリア２及び３のＤＬ  ｓＴＴＩ＃ｎ＋４（ここでは、ｋ＝４）以後の最も早いＵＬ  ｓＴＴＩ＃ｎ＋３で、当該ｓＰＤＳＣＨのＡ／Ｎを含むＵＣＩを送信する。図４のＵＬ  ｓＴＴＩ＃ｎ＋３では、ＵＬキャリア１、２及び３でｓＰＵＳＣＨがユーザ端末に割り当てられる。このため、ＵＬ  ｓＴＴＩ＃ｎ＋３において、ユーザ端末は、インデックス番号が最も小さいＵＬキャリア１のｓＰＵＳＣＨを用いて、上記Ａ／Ｎを含むＵＣＩを送信する。
【００６５】
また、図４では、ＤＬキャリア１のｓＴＴＩ長と、ＤＬキャリア２及び３のｓＴＴＩ長とが異なるため、ＤＬキャリア１のＤＬ  ｓＴＴＩ＃ｎで受信したＡ／Ｎの送信タイミングと、ＤＬキャリア２及び３のＤＬ  ｓＴＴＩ＃ｎ＋１０で受信したｓＰＤＳＣＨのＡ／Ｎの送信タイミングと、が同一となる。すなわち、ＤＬキャリア１のＤＬ  ｓＴＴＩ＃ｎ＋４（ここでは、ｋ＝４）以後の最も早いＵＬ  ｓＴＴＩと、ＤＬキャリア２及び３のＤＬ  ｓＴＴＩ＃ｎ＋１０＋４（ここでは、ｋ＝４）以後の最も早いＵＬ  ｓＴＴＩとは、同一のＵＬ  ｓＴＴＩ＃ｎ＋８である。
【００６６】
したがって、図４において、ユーザ端末は、ＵＬ  ｓＴＴＩ＃ｎ＋８において割り当てられる最もインデックス番号が小さいＵＬキャリア１のｓＰＵＳＣＨを用いて、ＤＬキャリア１のＤＬ  ｓＴＴＩ＃ｎで受信したｓＰＤＳＣＨのＡ／Ｎと、ＤＬキャリア２及び３のＤＬ  ｓＴＴＩ＃ｎ＋１０で受信したｓＰＤＳＣＨのＡ／Ｎとを含むＵＣＩを送信する。
【００６７】
＜ケース３＞
ケース３では、各ｓＴＴＩグループに、同一のｓＴＴＩ長のＵＬキャリアと、当該ＵＬキャリアとは同一及び異なるｓＴＴＩ長のＤＬキャリアが含まれる場合について説明する。以下では、ケース１、２との相違点を中心に説明する。
【００６８】
ケース３において、ｓＰＤＳＣＨを受信したＤＬキャリアと同一のｓＴＴＩ長のＵＬキャリアがｓＴＴＩグループ内に存在する場合、当該ｓＴＴＩグループ内で、ユーザ端末は、ｓＰＤＳＣＨを受信したＤＬ  ｓＴＴＩから所定期間（例えば、ｋ個のＤＬ  ｓＴＴＩ）後のＵＬ  ｓＴＴＩ（フィードバックｓＴＴＩ）を用いて、当該ｓＰＤＳＣＨのＡ／Ｎを含むＵＣＩを送信する。
【００６９】
一方、ｓＰＤＳＣＨを受信したＤＬキャリアと同一のｓＴＴＩ長のＵＬキャリアがｓＴＴＩグループ内に存在しない場合、当該ｓＴＴＩグループ内で、ユーザ端末は、ｓＰＤＳＣＨを受信したＤＬ  ｓＴＴＩから所定期間（例えば、ｋ個のＤＬ  ｓＴＴＩ）以後に開始する最も早いＵＬ  ｓＴＴＩ（フィードバックｓＴＴＩ）を用いて、当該ｓＰＤＳＣＨのＡ／Ｎを含むＵＣＩを送信する。
【００７０】
上記フィードバックｓＴＴＩにおいて、同じｓＴＴＩグループ内のいずれのＵＬキャリアにもｓＰＵＳＣＨが割り当てられていない場合、ユーザ端末は、ＰＵＣＣＨ（１ｍｓのＴＴＩに割り当てられるＰＵＣＣＨ、又は、ｓＴＴＩに割り当てられるＰＵＣＣＨ（ｓＰＵＣＣＨ））を用いて、上記Ａ／Ｎを含むＵＣＩを送信する。
【００７１】
上記フィードバックｓＴＴＩにおいて、同じｓＴＴＩグループ内の単一のＵＬキャリアでｓＰＵＳＣＨが割り当てられる場合、ユーザ端末は、当該ｓＰＵＳＣＨを用いて、上記Ａ／Ｎを含むＵＣＩを送信する。
【００７２】
上記フィードバックｓＴＴＩにおいて、同じｓＴＴＩグループ内の複数のＵＬキャリアにおいてｓＰＵＳＣＨが割り当てられる場合、ユーザ端末は、当該複数のＵＬキャリアのうちで最小のインデックス番号のＵＬキャリアのｓＰＵＳＣＨを用いて、上記Ａ／Ｎを含むＵＣＩを送信する。
【００７３】
図５は、第１の態様のケース３に係るＵＣＩの送信制御の一例を示す図である。例えば、図５では、ｓＴＴＩグループ１は、ｓＴＴＩ長が１スロットであるＵＬキャリア１及び２と、ｓＴＴＩ長が１スロットであるＤＬキャリア１と、ｓＴＴＩ長が２シンボルであるＤＬキャリア２及び３を含んで構成される。すなわち、図５のｓＴＴＩグループ１では、ＤＬキャリア１と同一のｓＴＴＩ長のＵＬキャリアは存在するが、ＤＬキャリア２及び３と同一のｓＴＴＩ長のＵＬキャリアは存在しない。
【００７４】
例えば、図５では、ユーザ端末は、ＤＬキャリア１のＤＬ  ｓＴＴＩ＃ｎでｓＰＤＳＣＨを受信する。この場合、ユーザ端末は、ＤＬキャリア１からＤＬ  ｓＴＴＩ＃ｎから４個のＤＬ  ｓＴＴＩ後のＵＬキャリア１のＵＬ  ｓＴＴＩ＃ｎ＋４において、当該ｓＰＤＳＣＨのＡ／Ｎを含むＵＣＩを送信する。図５のＵＬ  ｓＴＴＩ＃ｎ＋４では、ＵＬキャリア１及び２の双方でｓＰＵＳＣＨがユーザ端末に割り当てられるため、当該ユーザ端末は、インデックス番号が最も小さいＵＬキャリア１のｓＰＵＳＣＨを用いて、上記Ａ／Ｎを含むＵＣＩを送信する。
【００７５】
また、図５では、ユーザ端末は、ＤＬキャリア２及び３のＤＬ  ｓＴＴＩ＃ｎでｓＰＤＳＣＨを受信する。この場合、ユーザ端末は、ＤＬキャリア２及び３のＤＬ  ｓＴＴＩ＃ｎから４個のＤＬ  ｓＴＴＩ以後で最も早いＵＬ  ｓＴＴＩ＃ｎ＋２で、当該ｓＰＤＳＣＨのＡ／Ｎを含むＵＣＩを送信する。図５のＵＬ  ｓＴＴＩ＃ｎ＋２では、ＵＬキャリア２でｓＰＵＳＣＨがユーザ端末に割り当てられるため、当該ユーザ端末は、ＵＬキャリア２のｓＰＵＳＣＨを用いて、上記Ａ／Ｎを含むＵＣＩを送信する。
【００７６】
また、図５では、ＤＬキャリア１のｓＴＴＩ長と、ＤＬキャリア２及び３のｓＴＴＩ長とが異なるため、ＤＬキャリア１のＤＬ  ｓＴＴＩ＃ｎで受信したＡ／Ｎの送信タイミングと、ＤＬキャリア２及び３のＤＬ  ｓＴＴＩ＃ｎ＋１０で受信したｓＰＤＳＣＨのＡ／Ｎの送信タイミングと、が同一となる。すなわち、ＤＬキャリア１のＤＬ  ｓＴＴＩ＃ｎ＋４（ここでは、ｋ＝４）以後の最も早いＵＬ  ｓＴＴＩと、ＤＬキャリア２及び３のＤＬ  ｓＴＴＩ＃ｎ＋１０＋４（ここでは、ｋ＝４）以後の最も早いＵＬ  ｓＴＴＩとは、同一のＵＬ  ｓＴＴＩ＃ｎ＋４である。
【００７７】
したがって、図５において、ユーザ端末は、ＵＬ  ｓＴＴＩ＃ｎ＋４において割り当てられる最もインデックス番号が小さいＵＬキャリア１のｓＰＵＳＣＨを用いて、ＤＬキャリア１のＤＬ  ｓＴＴＩ＃ｎで受信したｓＰＤＳＣＨのＡ／Ｎと、ＤＬキャリア２及び３のＤＬ  ｓＴＴＩ＃ｎ＋１０で受信したｓＰＤＳＣＨのＡ／Ｎとを含むＵＣＩを送信する。
【００７８】
以上のケース１−３の少なくとも一つは、組み合わせることができ、ｓＴＴＩグループ毎に異なる構成が用いられてもよい。例えば、ｓＴＴＩグループ１は、ケース２又は３で説明したように、ＵＬキャリアと異なるｓＴＴＩ長のＤＬキャリアを含んで構成され、ｓＴＴＩグループ２は、ケース１で説明したように、ＵＬキャリアと異なるｓＴＴＩ長のＤＬキャリアを含まずに（すなわち、同一のｓＴＴＩ長のＵＬキャリア及びＤＬキャリアのみ）を含んで構成されてもよい。
【００７９】
以上のように、第１の態様では、ユーザ端末は、ｓＰＤＳＣＨを受信したＤＬキャリアと同一のｓＴＴＩグループ内で、当該Ａ／Ｎを含むＵＣＩを送信するＵＬキャリアを決定する。各ｓＴＴＩグループには、同一のｓＴＴＩ長のＵＬキャリアだけが含まれるので、ユーザ端末は、当該ＵＬキャリアにおけるＰＵＳＣＨの割り当てに基づいて、ＵＣＩを送信するＵＬキャリアを容易に決定することができる。
【００８０】
（第２の態様）
第２の態様では、ユーザ端末が、ｓＴＴＩグループを設定せずに、ｓＰＵＳＣＨが割り当てられる一以上のＵＬキャリアのｓＴＴＩ長（ＴＴＩ長）に基づいて、当該一以上のＵＬキャリアのうちで、ＵＣＩを送信するＵＬキャリアを決定する。第２の態様では、無線基地局からＵＣＩを送信するキャリアは明示的には指示されず、ユーザ端末が黙示的に当該キャリアを決定する。
【００８１】
第２の態様において、ｓＰＤＳＣＨを受信したＤＬキャリアと同一のｓＴＴＩ長のＵＬキャリアがユーザ端末に設定される場合、ユーザ端末は、ｓＰＤＳＣＨを受信したＤＬ  ｓＴＴＩから所定期間（例えば、ｋ個のＤＬ  ｓＴＴＩ）後のＵＬ  ｓＴＴＩ（フィードバックｓＴＴＩ）を用いて、当該ｓＰＤＳＣＨのＡ／Ｎを含むＵＣＩを送信する。
【００８２】
一方、ｓＰＤＳＣＨを受信したＤＬキャリアと同一のｓＴＴＩ長のＵＬキャリアがユーザ端末に設定されない場合、ユーザ端末は、ｓＰＤＳＣＨを受信したＤＬ  ｓＴＴＩから所定期間（例えば、ｋ個のＤＬ  ｓＴＴＩ）以後に開始する最も早いＵＬ  ｓＴＴＩ（フィードバックｓＴＴＩ）を用いて、当該ｓＰＤＳＣＨのＡ／Ｎを含むＵＣＩを送信する。
【００８３】
上記フィードバックｓＴＴＩにおいて、ユーザ端末に設定されるいずれのＵＬキャリアにもｓＰＵＳＣＨが割り当てられていない場合、ユーザ端末は、ＰＵＣＣＨ（１ｍｓのＴＴＩに割り当てられるＰＵＣＣＨ、又は、ｓＴＴＩに割り当てられるＰＵＣＣＨ（ｓＰＵＣＣＨ））を用いて、上記Ａ／Ｎを含むＵＣＩを送信する。
【００８４】
上記フィードバックｓＴＴＩにおいて、単一のＵＬキャリアでｓＰＵＳＣＨが割り当てられる場合、ユーザ端末は、当該ｓＰＵＳＣＨを用いて、上記Ａ／Ｎを含むＵＣＩを送信する。
【００８５】
上記フィードバックｓＴＴＩにおいて、同一のｓＴＴＩ長の複数のＵＬキャリアにおいてｓＰＵＳＣＨが割り当てられる場合、ユーザ端末は、当該複数のＵＬキャリアのうちで最小のインデックス番号のＵＬキャリアのｓＰＵＳＣＨを用いて、上記Ａ／Ｎを含むＵＣＩを送信する。
【００８６】
上記フィードバックｓＴＴＩにおいて、異なるｓＴＴＩ長の複数のＵＬキャリアにおいてｓＰＵＳＣＨが割り当てられる場合、ユーザ端末は、当該複数のＵＬキャリアのｓＴＴＩ長に基づいて、上記Ａ／Ｎを含むＵＣＩを送信するＵＬキャリアを決定する。
【００８７】
例えば、ユーザ端末は、ｓＴＴＩ長が最も短いＵＬキャリアを選択してもよいし、ｓＴＴＩ長が最も長いＵＬキャリアを選択してもよい。ｓＴＴＩ長が最も短い（又は、最も長い）複数のＵＬキャリアが存在する場合、ユーザ端末は、当該複数のＵＬキャリアのうちで最小のインデックス番号のＵＬキャリアのｓＰＵＳＣＨを選択してもよい。
【００８８】
図６は、第２の態様に係るＵＣＩの送信制御の一例を示す図である。例えば、図６では、ｓＴＴＩ長が１スロットであるＤＬキャリア１、ＵＬキャリア１と、ｓＴＴＩ長が２シンボルであるＤＬキャリア２及び３、ＵＬキャリア３及び４と、ｓＴＴＩ長が４シンボルであるＵＬキャリア２とがユーザ端末に対して設定されるものとする。
【００８９】
例えば、図６に示すように、ユーザ端末が、ＤＬキャリア２及び３のＤＬ  ｓＴＴＩ＃ｎでｓＰＤＳＣＨを受信する場合、当該ｓＰＤＳＣＨのＡ／Ｎを含むＵＣＩのフィードバックｓＴＴＩは、ＤＬキャリア２及び３のＤＬ  ｓＴＴＩ＃ｎの４ＤＬ  ｓＴＴＩ（ここでは、ｋ＝４）後のＵＬキャリア３及び４のＵＬ  ｓＴＴＩ＃ｎ＋４である。当該ＵＬ  ｓＴＴＩ＃ｎ＋４では、ＵＬキャリア３及び４の双方でｓＰＵＳＣＨが割り当てられているため、ユーザ端末は、インデックス番号が小さいＵＬキャリア３のｓＰＵＳＣＨを用いて、上記Ａ／Ｎを含むＵＣＩを送信する。
【００９０】
また、図６に示すように、ユーザ端末が、ＤＬキャリア３のＤＬ  ｓＴＴＩ＃ｎ＋８でｓＰＤＳＣＨを受信する場合、当該ｓＰＤＳＣＨのＡ／Ｎを含むＵＣＩのフィードバックｓＴＴＩは、当該ＤＬキャリア３のＤＬ  ｓＴＴＩ＃ｎ＋８＋４（ここでは、ｋ＝４）以後に開始される最も早いＵＬ  ｓＴＴＩであり、ここでは、ＵＬキャリア２のＵＬ  ｓＴＴＩ＃ｎ＋７と、ＵＬキャリア３及び４のＵＬ  ｓＴＴＩ＃ｎ＋１２である。図６では、ＵＬキャリア２のｓＴＴＩ＃ｎ＋７だけにｓＰＵＳＣＨが割り当てられるため、当該ユーザ端末は、当該ＵＬキャリア２のｓＰＵＳＣＨを用いて、上記Ａ／Ｎを含むＵＣＩを送信する。
【００９１】
また、図６では、ユーザ端末は、ＤＬキャリア１のＤＬ  ｓＴＴＩ＃ｎで受信したｓＰＤＳＣＨのＡ／Ｎと、ＤＬキャリア２のＤＬ  ｓＴＴＩ＃ｎ＋１０で受信したｓＰＤＳＣＨのＡ／Ｎとを含むＵＣＩのフィードバックｓＴＴＩは、同じであり、ここでは、ＵＬキャリア１のＵＬ  ｓＴＴＩ＃ｎ＋４、ＵＬキャリア２のｓＴＴＩ＃ｎ＋８、ＵＬキャリア３及び４のＵＬ  ｓＴＴＩ＃ｎ＋１４である。図６では、これらの全てにｓＰＵＳＣＨが割り当てられており、ユーザ端末は、最もｓＴＴＩ長が短いＵＬキャリア３及び４のうち、インデックス番号が小さいＵＬキャリア３のｓＰＵＳＣＨを用いて、上記Ａ／Ｎを含むＵＣＩを送信する。
【００９２】
図７は、第２の態様に係るＵＣＩの送信制御の他の例を示す図である。なお、図７は、異なるｓＴＴＩ長の複数のＵＬキャリアにおいてｓＰＵＳＣＨが割り当てられる場合、ｓＴＴＩ長が最も短いＵＬキャリアの代わりに、ｓＴＴＩ長が最も長いＵＬキャリアを選択する点以外は、図６と同様である。
【００９３】
図７では、図６と同様に、ＵＬキャリア１のＵＬ  ｓＴＴＩ＃ｎ＋４、ＵＬキャリア２のＵＬ  ｓＴＴＩ＃ｎ＋８、ＵＬキャリア３及び４のＵＬ  ｓＴＴＩ＃ｎ＋１４の全てにおいて、ｓＰＵＳＣＨが割り当てられる。この場合、ユーザ端末は、ｓＴＴＩ長が最も長いＵＬキャリア１のｓＰＵＳＣＨを選択し、当該ＵＬキャリア１のｓＰＵＳＣＨを用いて、ＤＬキャリア１のｓＴＴＩ＃ｎで受信したｓＰＤＳＣＨのＡ／ＮとＤＬキャリア２のｓＴＴＩ＃ｎ＋１０で受信したｓＰＤＳＣＨのＡ／Ｎとを含むＵＣＩを送信する。
【００９４】
以上のように、第２の態様では、ｓＰＵＳＣＨが割り当てられる一以上のＵＬキャリアのｓＴＴＩ長に基づいて、上記ＵＣＩを送信するＵＬキャリアを決定する。このため、ｓＴＴＩグループが設定されない場合であっても、ユーザ端末は、適切にＵＣＩを送信できる。また、フィードバックｓＴＴＩにおいて、異なるｓＴＴＩ長の複数のＵＬキャリアにおいてｓＰＵＳＣＨが割り当てられる場合、ｓＴＴＩ長が最も短いＵＬキャリアでＵＣＩをフィードバックする場合、遅延時間及び／または処理時間を短くし、ユーザ体感速度を改善できる。一方、ｓＴＴＩ長が最も長いＵＬキャリアでＵＣＩをフィードバックする場合、ＵＣＩ送信に利用できる無線リソースの量やエネルギーを多くできるため、ＵＣＩフィードバックの信頼性・品質を高めることができる。
【００９５】
（第３の態様）
第３の態様では、ユーザ端末が、ｓＴＴＩグループを設定せずに、ＵＬグラントに含まれる指示情報に基づいて、ｓＰＵＳＣＨが割り当てられる一以上のＵＬキャリアのうちで、ＵＣＩを送信するＵＬキャリアを決定する。第３の態様は、第２の態様との相違点を中心に説明する。
【００９６】
第３の態様において、ｓＰＤＳＣＨを受信したＤＬキャリアと同一のｓＴＴＩ長のＵＬキャリアがユーザ端末に設定される場合、ユーザ端末は、ｓＰＤＳＣＨを受信したＤＬ  ｓＴＴＩから所定期間（例えば、ｋ個のＤＬ  ｓＴＴＩ）後のＵＬ  ｓＴＴＩ（フィードバックｓＴＴＩ）を用いて、当該ｓＰＤＳＣＨのＡ／Ｎを含むＵＣＩを送信する。
【００９７】
一方、ｓＰＤＳＣＨを受信したＤＬキャリアと同一のｓＴＴＩ長のＵＬキャリアがユーザ端末に設定されない場合、ユーザ端末は、ｓＰＤＳＣＨを受信したＤＬ  ｓＴＴＩから所定期間（例えば、ｋ個のＤＬ  ｓＴＴＩ）以後に開始する最も早いＵＬ  ｓＴＴＩ（フィードバックｓＴＴＩ）を用いて、当該ｓＰＤＳＣＨのＡ／Ｎを含むＵＣＩを送信する。
【００９８】
また、ユーザ端末は、上記フィードバックｓＴＴＩのｓＰＵＳＣＨを割り当てるＵＬグラント内の指示情報に基づいて、上記Ａ／Ｎを含むＵＣＩの送信を制御する。ここで、上記ＵＬグラント内に含まれる指示情報は、送信又は非送信を示す１ビットの情報であってもよいし（後述する指示例１）、ＵＣＩを送信するＵＬキャリアのインデックスを示す1ビット以上の情報（例えば、３ビット）であってもよい（後述する指示例２）。
【００９９】
＜ｓＰＵＳＣＨの最小タイミング＞
第３の態様において、ｓＴＴＩ長の同一及び／又は異なる複数のキャリアが用いられる場合、ＵＬグラントによりスケジューリングされるＰＵＳＣＨの最小タイミングをどのように規定するかが問題となる。ここでは、ｓＰＵＳＣＨの最小タイミングについて説明する。当該ｓＰＵＳＣＨの最小タイミングは、第３の態様だけでなく、第１、第２及び第４の態様で割り当てられるｓＰＵＳＣＨにも適用可能である。
【０１００】
ＵＬグラントを受信したＤＬキャリアと、当該ＵＬグラントによりｓＰＵＳＣＨがスケジューリングされるＵＬキャリアのｓＴＴＩ長とが同一である場合、ｓＰＵＳＣＨの最小タイミングは、ＵＬグラントを受信したＤＬ  ｓＴＴＩから所定期間（例えば、ｋ個のｓＴＴＩ）後のＵＬ  ｓＴＴＩである。
【０１０１】
一方、ＵＬグラントを受信したＤＬキャリアと、当該ＵＬグラントによりｓＰＵＳＣＨがスケジューリングされるＵＬキャリアのｓＴＴＩ長とが異なる場合、ｓＰＵＳＣＨの最小タイミングは、ＵＬグラントを受信したＤＬ  ｓＴＴＩに対応するＵＬ  ＴＴＩから所定期間（例えば、ｋ個のＵＬ  ｓＴＴＩ）後のＵＬ  ｓＴＴＩである。
【０１０２】
ここで、ＵＬグラントを受信したＤＬ  ｓＴＴＩに“対応するＵＬ  ｓＴＴＩ”とは、例えば、当該ＤＬ  ｓＴＴＩを時間的に包含するＵＬ  ｓＴＴＩである。また、ｋは、ユーザ端末の処理時間を考慮して決定される値であり、例えば、４≦ｋ≦８であるが、これに限られない。なお、ｋは、時間長に応じて変更されてもよい。
【０１０３】
図８は、第３の態様に係るｓＰＵＳＣＨの最小タイミングの一例を示す図である。例えば、図８では、ｓＴＴＩ長が１スロットであるＤＬキャリア１、ＵＬキャリア２と、ｓＴＴＩ長が２シンボルであるＤＬキャリア２と、ｓＴＴＩ長が４シンボルであるＵＬキャリア２とがユーザ端末に対して設定されるものとする。
【０１０４】
また、図８では、ＤＬキャリア１では、ＵＬキャリア１のｓＰＵＳＣＨをスケジュールするＵＬグラントが送信され、ＤＬキャリア２では、ＵＬキャリア２のｓＰＵＳＣＨをスケジューリングするＵＬグラントが送信されることが予め設定されるものとする。
【０１０５】
例えば、図８では、ＵＬグラントを受信するＤＬキャリア１と、当該ＵＬグラントによりｓＰＵＳＣＨがスケジューリングされるＵＬキャリア１のｓＴＴＩ長は同一である。このため、ユーザ端末が、ＤＬキャリア１のＤＬ  ｓＴＴＩ＃ｎでＵＬグラントを受信する場合、当該ＵＬグラントによりスケジューリングされるｓＰＵＳＣＨの最小タイミングは、ＤＬ  ｓＴＴＩ＃ｎの４ＵＬ  ｓＴＴＩ後のＵＬ  ｓＴＴＩ＃ｎ＋４（ここでは、ｋ＝４）である。
【０１０６】
一方、図８では、ＵＬグラントを受信するＤＬキャリア２と、当該ＵＬグラントによりｓＰＵＳＣＨがスケジューリングされるＵＬキャリア２のｓＴＴＩ長は異なる。このため、ユーザ端末は、ＤＬキャリア２のＤＬ  ｓＴＴＩ＃ｎでＵＬグラントを受信する場合、当該ＵＬグラントによりスケジューリングされるｓＰＵＳＣＨの最小タイミングは、当該ＤＬ  ｓＴＴＩ＃ｎに対応するＵＬキャリア２のＵＬ  ｓＴＴＩ＃ｎから４ＵＬ  ｓＴＴＩ後のＵＬ  ｓＴＴＩ＃ｎ＋４である。
【０１０７】
また、図８では、ユーザ端末は、ＤＬキャリア２のＤＬ  ｓＴＴＩ＃ｎ＋９でＵＬグラントを受信する場合、当該ＵＬグラントによりスケジューリングされるｓＰＵＳＣＨの最小タイミングは、当該ＤＬ  ｓＴＴＩ＃ｎ＋９に対応するＵＬキャリア２のＵＬ  ｓＴＴＩ＃ｎ＋４から４ＵＬ  ｓＴＴＩ後のＵＬ  ｓＴＴＩ＃ｎ＋８である。
【０１０８】
＜指示例１＞
指示例１では、フィードバックｓＴＴＩにおけるＵＣＩの送信制御に用いられるＵＬグラントの指示情報が、送信又は非送信を示す１ビットの情報である場合について説明する。例えば、指示情報が“１”である場合、送信を示し、“０”である場合、非送信を示す。
【０１０９】
具体的には、Ａ／Ｎを含むＵＣＩのフィードバックｓＴＴＩにおいて、ユーザ端末に設定されるいずれのＵＬキャリアにもｓＰＵＳＣＨが割り当てられていない場合、ユーザ端末は、ＰＵＣＣＨ（１ｍｓのＴＴＩに割り当てられるＰＵＣＣＨ、又は、ｓＴＴＩに割り当てられるＰＵＣＣＨ（ｓＰＵＣＣＨ））を用いて、上記Ａ／Ｎを含むＵＣＩを送信する。
【０１１０】
上記フィードバックｓＴＴＩにおいて、単一のＵＬキャリアでｓＰＵＳＣＨが割り当てられる場合、ユーザ端末は、当該ｓＰＵＳＣＨを割り当てるＵＬグラント内の指示情報に基づいて、上記Ａ／Ｎを含むＵＣＩの送信を制御する。例えば、ユーザ端末は、当該指示情報が“１”である場合、当該ｓＰＵＳＣＨを用いて上記ＵＣＩを送信し、“０”である場合、当該ｓＰＵＳＣＨを用いた上記ＵＣＩの送信を行わない。
【０１１１】
上記フィードバックｓＴＴＩにおいて、複数のＵＬキャリアでｓＰＵＳＣＨが割り当てられる場合、当該ｓＰＵＳＣＨを割り当てる複数のＵＬグラントのうち、最も直近に受信したＵＬグラント内の指示情報に基づいて、上記Ａ／Ｎを含むＵＣＩの送信を制御する。例えば、指示情報が“１”である直近のＵＬグラントが一つだけ存在する場合、ユーザ端末は、当該ＵＬグラントにより割り当てられるｓＰＵＳＣＨを用いて、上記ＵＣＩを送信する。また、指示情報が“１”である直近のＵＬグラントが複数存在する場合、ユーザ端末は、最もインデックス番号が小さいｓＰＵＳＣＨを用いて、上記ＵＣＩを送信する。これにより、ＵＣＩを送信するＵＬキャリアを１つに限定することができるため、送信電力が不足するような場合に、ＵＣＩを含むＵＬキャリアに優先的に送信電力を割り振る制御などを容易に行うことができる。
【０１１２】
図９は、第３の態様の指示例１に係るＵＣＩの送信制御の一例を示す図である。例えば、図９では、ｓＴＴＩ長が１スロットであるＤＬキャリア１、ＵＬキャリア１と、ｓＴＴＩ長が２シンボルであるＤＬキャリア２、３及び４、ＵＬキャリア４と、ｓＴＴＩ長が４シンボルであるＵＬキャリア２及び３とがユーザ端末に対して設定されるものとする。
【０１１３】
また、図９では、ＤＬキャリア１、２、３、４のＵＬグラントにより、それぞれ、ＵＬキャリア１、２、３、４のｓＰＵＳＣＨがスケジューリングされることが予め設定されるものとする。
【０１１４】
例えば、図９では、ＤＬキャリア１とＵＬキャリア１のｓＴＴＩ長は同一である。このため、ＤＬキャリア１のＤＬ  ｓＴＴＩ＃ｎのＵＬグラントにより、当該ＤＬ  ｓＴＴＩ＃ｎから４ｓＴＴＩ後のＵＬ  ｓＴＴＩ＃ｎ＋４のｓＰＵＳＣＨが割り当てられる。
【０１１５】
また、図９では、ＤＬキャリア４とＵＬキャリア４のｓＴＴＩ長は同一である。このため、ＤＬキャリア４のＤＬ  ｓＴＴＩ＃ｎのＵＬグラントにより、４ｓＴＴＩ後のＵＬ  ｓＴＴＩ＃ｎ＋４のｓＰＵＳＣＨが割り当てられる。同様に、ＤＬキャリア４のＤＬ  ｓＴＴＩ＃ｎ＋１０のＵＬグラントにより、４ｓＴＴＩ後のＵＬ  ｓＴＴＩ＃ｎ＋１４のｓＰＵＳＣＨが割り当てられる。
【０１１６】
一方、図９では、ＤＬキャリア２及び３とＵＬキャリア２及び３のｓＴＴＩ長は異なる。このため、ＤＬキャリア２及び３のＤＬ  ｓＴＴＩ＃ｎのＵＬグラントにより、ＤＬ  ｓＴＴＩ＃ｎに対応するＵＬキャリア２及び３のＵＬ  ｓＴＴＩ＃ｎから４ＵＬ  ｓＴＴＩ後のＵＬ  ｓＴＴＩ＃ｎ＋４のｓＰＵＳＣＨが割り当てられる。また、ＤＬキャリア２のＤＬ  ｓＴＴＩ＃ｎ＋７のＵＬグラントにより、ＤＬ  ｓＴＴＩ＃ｎ＋７に対応するＵＬキャリア２のＵＬ  ｓＴＴＩ＃ｎ＋４から４ＵＬ  ｓＴＴＩ後のＵＬ  ｓＴＴＩ＃ｎ＋８のｓＰＵＳＣＨが割り当てられる。また、ＤＬキャリア３のＤＬ  ｓＴＴＩ＃ｎ＋８のＵＬグラントにより、ＤＬ  ｓＴＴＩ＃ｎ＋８にそれぞれ対応するＵＬキャリア３のＵＬ  ｓＴＴＩ＃ｎ＋４から４ＵＬ  ｓＴＴＩ後のＵＬ  ｓＴＴＩ＃ｎ＋８のｓＰＵＳＣＨが割り当てられる。
【０１１７】
図９に示すように、ユーザ端末がＤＬキャリア２のＤＬ  ｓＴＴＩ＃ｎ＋３でｓＰＤＳＣＨを受信する場合、当該ｓＰＤＳＣＨのＡ／Ｎを含むＵＣＩのフィードバックｓＴＴＩは、４ＤＬ  ｓＴＴＩ（ここでは、ｋ＝４）後のＵＬキャリア１のＵＬ  ｓＴＴＩ＃ｎ＋２、ＵＬキャリア２及び３のＵＬ  ｓＴＴＩ＃ｎ＋４、ＵＬキャリア４のｓＴＴＩ＃ｎ＋７である。このタイミングでは、ＵＬキャリア２及び３でｓＰＵＳＣＨが割り当てられており、最も直近のＵＬグラントにより割り当てられるのは、ＵＬキャリア２及び３の複数のｓＰＵＳＣＨである。当該複数のｓＰＵＳＣＨを割り当てるＵＬグラントの指示情報はともに“１”である。したがって、ユーザ端末は、インデックス番号が小さいＵＬキャリア２のｓＰＵＳＣＨを用いて、上記Ａ／Ｎを含むＵＣＩを送信する。
【０１１８】
また、図９に示すように、ユーザ端末がＤＬキャリア２のＤＬ  ｓＴＴＩ＃ｎ＋１０でｓＰＤＳＣＨを受信する場合、当該ｓＰＤＳＣＨのＡ／Ｎを含むＵＣＩのフィードバックｓＴＴＩは、４ＤＬ  ｓＴＴＩ（ここでは、ｋ＝４）後のＵＬキャリア１のＵＬ  ｓＴＴＩ＃ｎ＋４、ＵＬキャリア２及び３のＵＬ  ｓＴＴＩ＃ｎ＋８、ＵＬキャリア４のｓＴＴＩ＃ｎ＋１４である。このタイミングでは、ＵＬキャリア１−４の全てでｓＰＵＳＣＨが割り当てられており、最も直近のＵＬグラントにより割り当てられるのは、ＵＬキャリア３のｓＰＵＳＣＨである。当該最も直近のＵＬグラントの指示情報は“１”である。したがって、ユーザ端末は、ＵＬキャリア３のｓＰＵＳＣＨを用いて、上記Ａ／Ｎを含むＵＣＩを送信する。
【０１１９】
なお、指示情報が“１”である直近のＵＬグラントが複数存在する場合、これらのＵＬグラントが割り当てるすべてのｓＰＵＳＣＨにＵＣＩをコピーし、送信してもよい。これにより、複数のＵＬキャリアでＵＣＩを送信できるので、ダイバーシチ効果が得られ、ＵＣＩの信頼性を高めることができる。例えば、図９に示すように、ユーザ端末がＤＬキャリア２のＤＬ  ｓＴＴＩ＃ｎ＋３でｓＰＤＳＣＨを受信する場合、当該ｓＰＤＳＣＨのＡ／Ｎを含むＵＣＩのフィードバックｓＴＴＩは、４ＤＬ  ｓＴＴＩ（ここでは、ｋ＝４）後のＵＬキャリア１のＵＬ  ｓＴＴＩ＃ｎ＋２、ＵＬキャリア２及び３のＵＬ  ｓＴＴＩ＃ｎ＋４、ＵＬキャリア４のｓＴＴＩ＃ｎ＋７である。このタイミングでは、ＵＬキャリア２及び３でｓＰＵＳＣＨが割り当てられており、最も直近のＵＬグラントにより割り当てられるのは、ＵＬキャリア２及び３の複数のｓＰＵＳＣＨである。当該複数のｓＰＵＳＣＨを割り当てるＵＬグラントの指示情報はともに“１”である。したがって、ユーザ端末は、ＵＬキャリア２およびＵＬキャリア３のｓＰＵＳＣＨを用いて、上記Ａ／Ｎを含むＵＣＩを送信する。
【０１２０】
＜指示例２＞
指示例２では、フィードバックｓＴＴＩにおけるＵＣＩの送信制御に用いられるＵＬグラントの指示情報が、ＵＣＩを送信するＵＬキャリアのインデックスを示す１ビット以上の情報（例えば、３ビット）である場合について説明する。例えば、指示情報が３ビットである場合、各ビット値がＵＬキャリアのインデックス番号を示してもよい。
【０１２１】
具体的には、Ａ／Ｎを含むＵＣＩのフィードバックｓＴＴＩにおいて、ユーザ端末に設定されるいずれのＵＬキャリアにもｓＰＵＳＣＨが割り当てられていない場合、ユーザ端末は、ＰＵＣＣＨ（１ｍｓのＴＴＩに割り当てられるＰＵＣＣＨ、又は、ｓＴＴＩに割り当てられるＰＵＣＣＨ（ｓＰＵＣＣＨ））を用いて、上記Ａ／Ｎを含むＵＣＩを送信する。
【０１２２】
上記フィードバックｓＴＴＩにおいて、単一のＵＬキャリアでｓＰＵＳＣＨが割り当てられる場合、ユーザ端末は、当該ｓＰＵＳＣＨを割り当てるＵＬグラント内の指示情報が当該ＵＬキャリアのインデックス番号を示す場合、当該ｓＰＵＳＣＨを用いて上記ＵＣＩを送信する。
【０１２３】
上記フィードバックｓＴＴＩにおいて、複数のＵＬキャリアでｓＰＵＳＣＨが割り当てられる場合、当該ｓＰＵＳＣＨを割り当てる複数のＵＬグラントのうち、最も直近に受信したＵＬグラント内の指示情報に基づいて、上記Ａ／Ｎを含むＵＣＩの送信を制御する。例えば、直近のＵＬグラントが一つだけ存在し、当該ＵＬグラント内の指示情報が示すＵＬキャリアのｓＰＵＳＣＨを用いて、上記ＵＣＩを送信する。
【０１２４】
また、指示情報が同じ値である直近のＵＬグラントが複数存在する場合、ユーザ端末は、当該値が示すＵＬキャリアのｓＰＵＳＣＨを用いて、上記ＵＣＩを送信する。一方、指示情報が異なる値である直近のＵＬグラントが複数存在する場合、ユーザ端末は、最もインデックス番号が小さいｓＰＵＳＣＨを用いて、上記ＵＣＩを送信する。これにより、ＵＣＩを送信するＵＬキャリアを１つに限定することができるため、送信電力が不足するような場合に、ＵＣＩを含むＵＬキャリアに優先的に送信電力を割り振る制御などを容易に行うことができる。
【０１２５】
図１０は、第３の態様の指示例２に係るＵＣＩの送信制御の一例を示す図である。例えば、図１０では、ｓＴＴＩ長が１スロットであるＤＬキャリア０、ＵＬキャリア０と、ｓＴＴＩ長が２シンボルであるＤＬキャリア１及び２、ＵＬキャリア４と、ｓＴＴＩ長が４シンボルであるＵＬキャリア１及び２とがユーザ端末に対して設定されるものとする。
【０１２６】
また、図１０では、ＤＬキャリア０、１、２、３のＵＬグラントにより、それぞれ、ＵＬキャリア０、１、２、３のｓＰＵＳＣＨがスケジューリングされることが予め設定されるものとする。
【０１２７】
例えば、図１０では、ＤＬキャリア０とＵＬキャリア０のｓＴＴＩ長は同一である。このため、ＤＬキャリア０のＤＬ  ｓＴＴＩ＃ｎのＵＬグラントにより、当該ＤＬ  ｓＴＴＩ＃ｎから４ｓＴＴＩ後のＵＬ  ｓＴＴＩ＃ｎ＋４のｓＰＵＳＣＨが割り当てられる。
【０１２８】
また、図１０では、ＤＬキャリア３とＵＬキャリア３のｓＴＴＩ長は同一である。このため、ＤＬキャリア３のＤＬ  ｓＴＴＩ＃ｎのＵＬグラントにより、４ｓＴＴＩ後のＵＬ  ｓＴＴＩ＃ｎ＋４のｓＰＵＳＣＨが割り当てられる。
【０１２９】
一方、図１０では、ＤＬキャリア１及び２とＵＬキャリア１及び２のｓＴＴＩ長は異なる。このため、ＤＬキャリア１のＤＬ  ｓＴＴＩ＃ｎのＵＬグラントにより、ＤＬ  ｓＴＴＩ＃ｎに対応するＵＬキャリア１のＵＬ  ｓＴＴＩ＃ｎから４ＵＬ  ｓＴＴＩ後のＵＬ  ｓＴＴＩ＃ｎ＋４のｓＰＵＳＣＨが割り当てられる。ＤＬキャリア２のＤＬ  ｓＴＴＩ＃ｎ＋１のＵＬグラントにより、ＤＬ  ｓＴＴＩ＃ｎ＋１に対応するＵＬキャリア２のＵＬ  ｓＴＴＩ＃ｎから４ＵＬ  ｓＴＴＩ後のＵＬ  ｓＴＴＩ＃ｎ＋４のｓＰＵＳＣＨが割り当てられる。同様に、ＤＬキャリア１及び２のＤＬ  ｓＴＴＩ＃ｎ＋５のＵＬグラントにより、ＵＬ  ｓＴＴＩ＃ｎ＋７のｓＰＵＳＣＨが割り当てられる。また、ＤＬキャリア１及び２のＤＬ  ｓＴＴＩ＃ｎ＋７のＵＬグラントにより、ＵＬ  ｓＴＴＩ＃ｎ＋８のｓＰＵＳＣＨが割り当てられる。
【０１３０】
図１０に示すように、ユーザ端末がＤＬキャリア１のＤＬ  ｓＴＴＩ＃ｎ＋３でｓＰＤＳＣＨを受信する場合、当該ｓＰＤＳＣＨのＡ／Ｎを含むＵＣＩのフィードバックｓＴＴＩは、４ＤＬ  ｓＴＴＩ（ここでは、ｋ＝４）後のＵＬキャリア０のＵＬ  ｓＴＴＩ＃ｎ＋２、ＵＬキャリア１及び２のＵＬ  ｓＴＴＩ＃ｎ＋４、ＵＬキャリア３のｓＴＴＩ＃ｎ＋７である。このタイミングでは、ＵＬキャリア１及び２でｓＰＵＳＣＨが割り当てられており、当該ｓＰＵＳＣＨを割り当てる最も直近のＵＬグラントは、ＵＬキャリア２のｓＴＴＩ＃ｎ＋１のＵＬグラントである。したがって、ユーザ端末は、当該最も直近のＵＬグラントの指示情報“０１０”が示すインデックス番号２のＵＬキャリア２のｓＰＵＳＣＨを用いて、上記Ａ／Ｎを含むＵＣＩを送信する。
【０１３１】
また、図１０に示すように、ユーザ端末がＤＬキャリア１のＤＬ  ｓＴＴＩ＃ｎ＋８でｓＰＤＳＣＨを受信する場合、当該ｓＰＤＳＣＨのＡ／Ｎを含むＵＣＩのフィードバックｓＴＴＩは、４ＤＬ  ｓＴＴＩ（ここでは、ｋ＝４）後のＵＬキャリア１及び２のＵＬ  ｓＴＴＩ＃ｎ＋７及びＵＬキャリア３の＃ｎ＋１２である。このタイミングでは、ＵＬキャリア１及び２でｓＰＵＳＣＨが割り当てられており、当該ｓＰＳＵＣＨを割り当てる最も直近のＵＬグラントは、キャリア１及び２のｓＴＴＩ＃ｎ＋５のＵＬグラントである。当該ＵＬキャリア１及び２のｓＰＵＳＣＨを割り当てるＵＬグラントには、それぞれ異なる値“０１０”及び“００１”の指示情報が含まれるため、ユーザ端末は、インデックス番号が小さいＵＬキャリア１のｓＰＵＳＣＨを用いて、上記Ａ／Ｎを含むＵＣＩを送信する。
【０１３２】
また、図１０に示すように、ユーザ端末がＤＬキャリア１のＤＬ  ｓＴＴＩ＃ｎ＋１０でｓＰＤＳＣＨを受信する場合、当該ｓＰＤＳＣＨのＡ／Ｎを含むＵＣＩのフィードバックｓＴＴＩは、４ＤＬ  ｓＴＴＩ（ここでは、ｋ＝４）後のＵＬキャリア０のＵＬ  ｓＴＴＩ＃４、ＵＬキャリア１及び２のＵＬ  ｓＴＴＩ＃ｎ＋８、ＵＬキャリア３のｓＴＴＩ＃ｎ＋１４である。このタイミングでは、ＵＬキャリア０、１及び２でｓＰＵＳＣＨが割り当てられており、当該ｓＰＳＵＣＨを割り当てる最も直近のＵＬグラントは、キャリア１及び２のｓＴＴＩ＃ｎ＋７のＵＬグラントである。当該ＵＬキャリア１及び２のｓＰＵＳＣＨを割り当てるＵＬグラントには、それぞれ同一の値“００１”の指示情報が含まれるため、ユーザ端末は、当該“００１”が示すインデックス番号のＵＬキャリア１のｓＰＵＳＣＨを用いて、上記Ａ／Ｎを含むＵＣＩを送信する。
【０１３３】
なお、指示情報が異なる値である直近のＵＬグラントが複数存在する場合、これらのＵＬグラントが割り当てるすべてのｓＰＵＳＣＨにＵＣＩをコピーし、送信してもよい。これにより、複数のＵＬキャリアでＵＣＩを送信できるので、ダイバーシチ効果が得られ、ＵＣＩの信頼性を高めることができる。例えば、図１０に示すように、ユーザ端末がＤＬキャリア１のＤＬ  ｓＴＴＩ＃ｎ＋８でｓＰＤＳＣＨを受信する場合、当該ｓＰＤＳＣＨのＡ／Ｎを含むＵＣＩのフィードバックｓＴＴＩは、４ＤＬ  ｓＴＴＩ（ここでは、ｋ＝４）後のＵＬキャリア１及び２のＵＬ  ｓＴＴＩ＃ｎ＋７及びＵＬキャリア３の＃ｎ＋１２である。このタイミングでは、ＵＬキャリア１及び２でｓＰＵＳＣＨが割り当てられており、当該ｓＰＳＵＣＨを割り当てる最も直近のＵＬグラントは、キャリア１及び２のｓＴＴＩ＃ｎ＋５のＵＬグラントである。当該ＵＬキャリア１及び２のｓＰＵＳＣＨを割り当てるＵＬグラントには、それぞれ異なる値“０１０”及び“００１”の指示情報が含まれるため、ユーザ端末は、ＵＬキャリア１およびＵＬキャリア２のｓＰＵＳＣＨを用いて、上記Ａ／Ｎを含むＵＣＩを送信する。
【０１３４】
以上のように、第３の態様では、ｓＰＵＳＣＨを割り当てるＵＬグラント内の指示情報に基づいて、上記ＵＣＩを送信するＵＬキャリアが決定される。このため、ｓＴＴＩグループが設定されない場合であっても、ユーザ端末は、適切にＵＣＩを送信できる。
【０１３５】
（第４の態様）
第４の態様では、非周期のＣＳＩを含むＵＣＩの送信制御について説明する。当該ＵＣＩは、ＣＳＩ単独で構成されてもよいし、ＣＳＩに加えて、Ａ／Ｎ及び／又はＳＲを含んでもよい。第４の態様は、第１−第３の態様のいずれかと組み合わせることが可能であり、第１−第３の態様との相違点を中心に説明する。
【０１３６】
第４の態様において、ユーザ端末は、ＣＳＩの送信要求情報を含むＵＬグラントを受信する。ユーザ端末は、当該ＵＬグラントを受信するＤＬ  ｓＴＴＩに対応するＵＬ  ｓＴＴＩというから所定数以後のＵＬ  ＴＴＩにおいて、当該ＵＬグラントにより割り当てられるＰＵＳＣＨを用いたＣＳＩ（以下、非周期ＣＳＩという）の送信を制御する（第４の態様）。
【０１３７】
当該ＵＬグラントを受信したＤＬキャリアと、当該ＵＬグラントによりｓＰＵＳＣＨがスケジューリングされるＵＬキャリアのｓＴＴＩ長とが同一である場合、非周期ＣＳＩを含むｓＰＵＳＣＨの最小タイミングは、ＵＬグラントを受信したＤＬ  ｓＴＴＩから所定期間（例えば、ｋ個のｓＴＴＩ）後のＵＬ  ｓＴＴＩである。
【０１３８】
一方、当該ＵＬグラントを受信したＤＬキャリアと、当該ＵＬグラントによりｓＰＵＳＣＨがスケジューリングされるＵＬキャリアのｓＴＴＩ長とが異なる場合、非周期ＣＳＩを含むｓＰＵＳＣＨの最小タイミングは、ＵＬグラントを受信したＤＬ  ｓＴＴＩに対応するＵＬ  ｓＴＴＩから所定期間（例えば、ｋ個のＵＬ  ｓＴＴＩ）後のＵＬ  ｓＴＴＩである。
【０１３９】
ここで、当該ＵＬグラントを受信したＤＬ  ｓＴＴＩに対応するＵＬ  ｓＴＴＩとは、例えば、当該ＤＬ  ｓＴＴＩを時間的に包含するＵＬ  ｓＴＴＩである。また、ｋは、ユーザ端末の処理時間を考慮して決定される値であり、例えば、４≦ｋ≦８であるが、これに限られない。なお、ｋは、時間長に応じて変更されてもよい。
【０１４０】
また、ＣＳＩの送信要求情報は、非周期ＣＳＩの送信を要求する情報であり、例えば、Aperiodic(A)-CS  trigger、ＣＳＩ要求フィールドの値などであってもよい。ＵＬグラント内のＣＳＩ要求フィールド値により、非周期ＣＳＩを送信しないこと、或いは、どのＣＳＩプロセスの非周期ＣＳＩの送信を要求するかが指示される。なお、ＣＳＩプロセスとは、ＤＬキャリア（セル、ＣＣ）と対応する。
【０１４１】
ユーザ端末は、当該ユーザ端末の能力、非周期ＣＳＩの送信要求を含むＵＬグラントがｓＰＵＳＣＨをスケジューリングするタイミング（スケジューリングタイミング）の少なくとも一つに応じて、ＣＳＩ情報を更新するＣＳＩプロセスの個数Ｘ（０≦Ｘ≦Ｍ）を決定してもよい。ここで、Ｍは当該端末が一度に更新可能なＣＳＩプロセスの最大数、Ｘは所定の条件下において当該端末が一度に更新可能なＣＳＩプロセスの数を表す。
【０１４２】
例えば、当該非周期ＣＳＩの送信要求を含むＵＬグラント受信から当該ＵＬグラントがスケジューリングするｓＰＵＳＣＨまでの時間長が短い場合、前記更新可能なＣＳＩプロセス数Ｘは、０であってもよい。また、当該非周期ＣＳＩの送信要求を含むＵＬグラント受信から当該ＵＬグラントがスケジューリングするｓＰＵＳＣＨまでの時間長が十分長い場合、ＣＳＩプロセス数Ｘは、ＣＳＩプロセスの最大数Ｍと等しくてもよい。また、前記当該非周期ＣＳＩの送信要求を含むＵＬグラント受信から当該ＵＬグラントがスケジューリングするｓＰＵＳＣＨまでの時間長に基づき、０＜Ｘ＜Ｍを満たすＸが決定されてもよい。Ｘの値が、非周期ＣＳＩで要求されるＣＳＩプロセスの個数よりも小さい場合、インデックス番号の小さいＣＳＩプロセスから更新するＣＳＩプロセスを決定する。
【０１４３】
図１１は、第４の態様に係る非周期ＣＳＩの送信制御の一例を示す図である。例えば、図１１では、ｓＴＴＩ長が１スロットであるＤＬキャリア１、ＵＬキャリア２と、ｓＴＴＩ長が２シンボルであるＤＬキャリア２と、ｓＴＴＩ長が４シンボルであるＵＬキャリア２とがユーザ端末に対して設定されるものとする。
【０１４４】
また、図１１では、ＤＬキャリア１では、ＵＬキャリア１のｓＰＵＳＣＨをスケジュールするＵＬグラントが送信され、ＤＬキャリア２では、ＵＬキャリア２のｓＰＵＳＣＨをスケジューリングするＵＬグラントが送信されることが予め設定されるものとする。
【０１４５】
例えば、図１１では、ＣＳＩ要求フィールド値“１０”を含むＵＬグラントを受信するＤＬキャリア１と、当該ＵＬグラントによりｓＰＵＳＣＨがスケジューリングされるＵＬキャリア１のｓＴＴＩ長は同一である。また、図１１では、ＣＳＩ要求フィールド値“１０”は、ＤＬキャリア１及び２に対応するＣＳＩプロセスの非周期ＣＳＩの送信を要求するものとする。このため、ユーザ端末は、ＤＬキャリア１のＤＬ  ｓＴＴＩ＃ｎの４ＵＬ  ｓＴＴＩ後のＵＬ  ｓＴＴＩ＃ｎ＋４において、ＤＬキャリア１及び２に対応するＣＳＩプロセスの非周期ＣＳＩを送信する。
【０１４６】
一方、図１１では、ＣＳＩ要求フィールド“０１”を含むＵＬグラントを受信するＤＬキャリア２と、当該ＵＬグラントによりｓＰＵＳＣＨがスケジューリングされるＵＬキャリア２のｓＴＴＩ長は異なる。また、図１１では、ＣＳＩ要求フィールド値“０１”は、ＤＬキャリア２に対応するＣＳＩプロセスの非周期ＣＳＩの送信を要求するものとする。このため、ユーザ端末は、ＤＬキャリア２のＤＬ  ｓＴＴＩ＃ｎに対応するＵＬ  ｓＴＴＩ＃ｎから４ＵＬ  ｓＴＴＩ後のＵＬ  ｓＴＴＩ＃ｎ＋４において、ＤＬキャリア２に対応するＣＳＩプロセスの非周期ＣＳＩを送信する。
【０１４７】
以上のように、第４の態様では、ＤＬキャリアと同一及び／又は異なるｓＴＴＩ長のＵＬキャリアが用いられる場合でも、ユーザ端末が、非周期ＣＳＩを適切に送信することができる。
【０１４８】
（第５の態様）
第５の態様では、第１〜第４の態様の少なくとも一つで用いられるシグナリングについて説明する。
【０１４９】
第５の態様では、ユーザ端末は、当該ユーザ端末がサポートするｓＴＴＩ長に関する情報（ｓＴＴＩ長サポート情報）を無線基地局にシグナリングしてもよい。ここで、当該ｓＴＴＩ長サポート情報は、当該ユーザ端末がサポートするｓＴＴＩ長と、ＤＬとＵＬとで異なるＴＴＩ長をサポートするか否かとの少なくとも一つを示してもよい。
【０１５０】
また、第５の態様では、無線基地局は、ｓＴＴＩ長に関する情報（ｓＴＴＩ長設定情報）をユーザ端末に設定してもよい。ここで、当該ｓＴＴＩ長設定情報は、当該ユーザ端末が利用可能なｓＴＴＩ長と、ＤＬとＵＬとで異なるＴＴＩ長をサポートするか否か、ｓＴＴＩグループを設定するか否か、各ｓＴＴＩグループの構成情報との少なくとも一つを示してもよい。
【０１５１】
図１２は、第５の態様に係るシグナリングの一例を示す図である。なお、図１２に示すシグナリングには、上位レイヤシグナリング（例えば、ＲＲＣシグナリング）、システム情報（例えば、ＭＩＢ（Master  Information  Block）、ＳＩＢ（System  Information  Block））、Ｌ１／Ｌ２制御チャネル（例えば、ＰＤＣＣＨ及び／又はＥＰＤＣＣＨ）の少なくとも一つが用いられればよい。
【０１５２】
例えば、図１２Ａでは、ユーザ端末は、ｓＴＴＩサポート情報として、（１）当該ユーザ端末がサポートするｓＴＴＩ長（ここでは、ＤＬキャリアで２及び７シンボル、ＵＬキャリアで２、３又は４シンボル、７シンボル）と、（２）ＤＬキャリアとＵＬキャリアとで異なるｓＴＴＩ長をサポートしないことと、を通知する。図１２Ｂでは、（２）ＤＬキャリアとＵＬキャリアとで異なるｓＴＴＩ長をサポートすることを通知する点で、図１２Ａと異なる。
【０１５３】
また、図１２Ｃでは、無線基地局は、ｓＴＴＩ設定情報として、（１）当該ユーザ端末に所定のｓＴＴＩ長（ここでは、ＤＬキャリアで２及び７シンボル、ＵＬキャリアで２及び７シンボル）と、（２）ｓＴＴＩグループを含むｓＴＴＩグループと、をユーザ端末に通知する（第１の態様）。例えば、図１２Ｃでは、無線基地局は、２シンボルのｓＴＴＩ長のＵＬキャリア及びＤＬキャリアで構成されるｓＴＴＩグループ１と、７シンボルのｓＴＴＩ長のＵＬキャリア及びＤＬキャリアで構成されるｓＴＴＩグループ２とを設定してもよい（第１の態様のケース１）。
【０１５４】
また、図１２Ｄでは、無線基地局は、ｓＴＴＩ設定情報として、（１）当該ユーザ端末に所定のｓＴＴＩ長（ここでは、ＤＬキャリアで２及び７シンボル、ＵＬキャリアで３又は４シンボル、及び７シンボル）と、（２）ｓＴＴＩグループを設定しないこと（第１の態様）、或いは、（３）ＵＬキャリアと異なるｓＴＴＩ長のｓＴＴＩグループを含むｓＴＴＩグループを通知する（第１の態様のケース１及び２）。
【０１５５】
例えば、図１２Ｄでは、無線基地局は、２シンボルのｓＴＴＩ長のＵＬキャリアと、３又は４シンボルのｓＴＴＩ長のＤＬキャリアで構成されるｓＴＴＩグループ１（第１の態様のケース２）と、７シンボルのｓＴＴＩ長のＵＬキャリア及びＤＬキャリアで構成されるｓＴＴＩグループ２（第１の態様のケース１）とを設定してもよい。
【０１５６】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、組み合わせて適用されてもよい。
【０１５７】
図１３は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  RAT：New  Radio  Access  Technology）などと呼ばれても良い。
【０１５８】
図１３に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間及び／又はセル内で異なるニューメロロジーが適用される構成としてもよい。
【０１５９】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。
【０１６０】
また、ユーザ端末２０は、各セルで、時分割複信（ＴＤＤ：Time  Division  Duplex）又は周波数分割複信（ＦＤＤ：Frequency  Division  Duplex）を用いて通信を行うことができる。ＴＤＤのセル、ＦＤＤのセルは、それぞれ、ＴＤＤキャリア（フレーム構成タイプ２）、ＦＤＤキャリア（フレーム構成タイプ１）等と呼ばれてもよい。
【０１６１】
また、各セル（キャリア）では、単一のニューメロロジーが適用されてもよいし、複数の異なるニューメロロジーが適用されてもよい。
【０１６２】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１６３】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１６４】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１６５】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【０１６６】
各ユーザ端末２０は、ＬＴＥ、ＬＴＥ−Ａなどの各種通信方式に対応した端末であり、移動通信端末だけでなく固定通信端末を含んでもよい。また、ユーザ端末２０は、他のユーザ端末２０との間で端末間通信（Ｄ２Ｄ）を行うことができる。
【０１６７】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。
【０１６８】
無線通信システム１では、ＤＬチャネルとして、各ユーザ端末２０で共有されるＤＬ共有チャネル（ＰＤＳＣＨ：Physical  Downlink  Shared  Channel、ＤＬデータチャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【０１６９】
Ｌ１／Ｌ２制御チャネルは、ＤＬ制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＥＰＤＣＣＨは、ＰＤＳＣＨと周波数分割多重され、ＰＤＣＣＨと同様にＤＣＩなどの伝送に用いられる。ＰＨＩＣＨ、ＰＤＣＣＨ、ＥＰＤＣＣＨの少なくとも一つにより、ＰＵＳＣＨに対するＨＡＲＱの再送指示情報（ＡＣＫ／ＮＡＣＫ）を伝送できる。
【０１７０】
無線通信システム１では、ＵＬチャネルとして、各ユーザ端末２０で共有されるＵＬ共有チャネル（ＰＵＳＣＨ：Physical  Uplink  Shared  Channel、ＵＬデータチャネル等ともいう）、ＵＬ制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。ＤＬ信号の再送制御情報（Ａ／Ｎ）やチャネル状態情報（ＣＳＩ）などの少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルを伝送できる。
【０１７１】
＜無線基地局＞
図１４は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。
【０１７２】
下りリンクにより無線基地局１０からユーザ端末２０に送信されるユーザデータは、上位局装置３０から伝送路インターフェース１０６を介してベースバンド信号処理部１０４に入力される。
【０１７３】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化や逆高速フーリエ変換などの送信処理が行われて、送受信部１０３に転送される。
【０１７４】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１７５】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１７６】
一方、ＵＬ信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１７７】
ベースバンド信号処理部１０４では、入力されたＵＬ信号に含まれるＵＬデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１７８】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１７９】
また、送受信部１０３は、ニューメロロジーが異なる複数のユーザ端末２０に対してＤＬ信号（ＤＬデータ信号、ＤＬ制御信号、ＤＬ参照信号の少なくとも一つを含む）を送信し、当該複数のユーザ端末２０からのＵＬ信号（ＵＬデータ信号、ＵＬ制御信号、ＵＬ参照信号の少なくとも一つを含む）を受信する。
【０１８０】
また、送受信部１０３は、ＵＬ共有チャネル（例えば、ＰＵＳＣＨ）又はＵＬ制御チャネル（例えば、ＰＵＣＣＨ）を用いて、ユーザ端末２０からのＵＣＩを受信する。当該ＵＣＩは、ＤＬ共有チャネル（例えば、ＰＤＳＣＨ、ｓＴＴＩ用のｓＰＤＳＣＨ）のＡ／Ｎ、ＣＳＩ、ＳＲの少なくとも一つを含む。
【０１８１】
また、送受信部１０３は、ユーザ端末２０からのｓＴＴＩサポート情報を受信してもよい（第５の態様）。また、送受信部１０３は、ユーザ端末２０に対してｓＴＴＩ設定情報を送信してもよい（第５の態様）。
【０１８２】
図１５は、本実施の形態に係る無線基地局の機能構成の一例を示す図である。なお、図１５は、本実施の形態における特徴部分の機能ブロックを主に示しており、無線基地局１０は、無線通信に必要な他の機能ブロックも有しているものとする。図１５に示すように、ベースバンド信号処理部１０４は、制御部３０１と、送信信号生成部３０２と、マッピング部３０３と、受信信号処理部３０４と、測定部３０５とを備えている。
【０１８３】
制御部３０１は、無線基地局１０全体の制御を実施する。制御部３０１は、例えば、送信信号生成部３０２によるＤＬ信号の生成や、マッピング部３０３によるＤＬ信号のマッピング、受信信号処理部３０４によるＵＬ信号の受信処理（例えば、復調など）、測定部３０５による測定を制御する。
【０１８４】
具体的には、制御部３０１は、ユーザ端末２０のスケジューリングを行う。例えば、制御部３０１は、ｓＴＴＩ長が異なる複数のキャリア（ＤＬキャリア及び／又はＵＬキャリア）のスケジューリングを行ってもよい。また、制御部３０１は、１ｍｓのＴＴＩ長のキャリア（ＤＬキャリア及び／又はＵＬキャリア）のスケジューリングを行ってもよい。
【０１８５】
また、制御部３０１は、ユーザ端末２０に対してｓＴＴＩ長が同一及び／又は異なる複数のキャリア（ＤＬキャリア及び／又はＵＬキャリア）を設定してもよい。当該複数のキャリアは、上位レイヤシグナリング、システム情報、Ｌ１／Ｌ２制御チャネルの少なくとも一つを用いて設定されればよい。
【０１８６】
また、制御部３０１は、ＤＬ共有チャネルのＡ／Ｎを含むＵＣＩを受信するｓＴＴＩ（フィードバックｓＴＴＩ）を決定してもよい。具体的には、制御部３０１は、ＤＬ共有チャネルを送信するＤＬキャリアとＵＬ共有チャネルを受信するＵＬキャリアとのｓＴＴＩ長が同一である場合、フィードバックｓＴＴＩとして、当該ＤＬ共有チャネルを送信するＤＬ  ｓＴＴＩから所定期間以後のＵＬ  ｓＴＴＩを決定してもよい（第１−第３の態様）。
【０１８７】
また、制御部３０１は、ＤＬ共有チャネルを送信するＤＬキャリアとＵＬ共有チャネルを受信するＵＬキャリアとのｓＴＴＩ長が異なる場合、フィードバックｓＴＴＩとして、当該ＤＬ共有チャネルを送信するＤＬ  ｓＴＴＩ（第１のＴＴＩ）から所定期間以後の最も早いＵＬキャリアのＵＬ  ｓＴＴＩ（第２のＴＴＩ）を決定してもよい（第１−第３の態様）。
【０１８８】
また、制御部３０１は、ＤＬ共有チャネルを受信するＤＬキャリアとｓＴＴＩ長が同一及び／又は異なる一以上のＵＬキャリアにおけるＵＬ共有チャネルの割り当てに基づいて、当該ＤＬ共有チャネルのＡ／Ｎを含むＵＣＩの受信を制御してもよい。具体的には、制御部３０１は、上記フィードバックｓＴＴＩにおける上記ＵＬ共有チャネルの割り当てに基づいて、上記Ａ／Ｎを含むＵＣＩの受信を制御してもよい。
【０１８９】
例えば、制御部３０１は、同一のｓＴＴＩ長の一以上のＵＬキャリアと、当該ＵＬキャリアと同一及び／又は異なる一以上のＤＬキャリアと、を含むｓＴＴＩグループを設定し、当該ＤＬ共有チャネルを送信するＤＬキャリアと同一のグループ内で、上記Ａ／Ｎを含むＵＣＩを受信するＵＬキャリアを決定してもよい（第１の態様）。
【０１９０】
また、制御部３０１は、ＵＬ共有チャネルが割り当てられる一以上のＵＬキャリアのｓＴＴＩ長に基づいて、上記Ａ／Ｎを含むＵＣＩを受信するＵＬキャリアを決定してもよい（第２の態様）。また、制御部３０１は、ＵＬ共有チャネルを割り当てるＵＬグラントに含まれる指示情報に基づいて、上記Ａ／Ｎを含むＵＣＩを受信するＵＬキャリアを決定してもよい（第３の態様）。
【０１９１】
また、制御部３０１は、ＵＬグラントを送信するＤＬキャリアと当該ＵＬグラントによりＵＬ共有チャネルが割り当てられるＵＬキャリアとのｓＴＴＩ長とが同一である場合、当該ＵＬグラントを送信するＤＬ  ｓＴＴＩから所定期間以後のＵＬ  ｓＴＴＩを、当該ＵＬ共有チャネルを受信するｓＴＴＩとして決定してもよい（第１−第４の態様）。
【０１９２】
また、制御部３０１は、ＵＬグラントを送信するＤＬキャリアと当該ＵＬグラントによりＵＬ共有チャネルが割り当てられるＵＬキャリアとのｓＴＴＩ長とが異なる場合、当該ＵＬグラントを送信するＤＬ  ｓＴＴＩ（第３のＴＴＩ）に対応するＵＬ  ｓＴＴＩ（第４のｓＴＴＩ）から所定期間以後のＵＬ  ｓＴＴＩ（第５のＴＴＩ）を、当該ＵＬ共有チャネルを受信するｓＴＴＩとして決定してもよい（第１−第４の態様）。
【０１９３】
また、制御部３０１は、ユーザ端末２０からのＡ／Ｎに基づいて、ＤＬ共有チャネル（例えば、ＰＤＳＣＨ）の再送制御を行ってもよい。
【０１９４】
また、制御部３０１は、非周期のＣＳＩ報告を制御してもよい。具体的には、制御部３０１は、ＣＳＩ要求フィールド値を決定し、当該ＣＳＩ要求フィールド値を含むＵＬグラントを生成及び送信するように制御する。
【０１９５】
また、制御部３０１は、ＣＳＩ要求フィールド値を含むＵＬグラントを送信するＤＬキャリアと当該ＵＬグラントによりＵＬ共有チャネルが割り当てられるＵＬキャリアとのｓＴＴＩ長とが同一である場合、当該ＵＬグラントを送信するＤＬ  ｓＴＴＩから所定期間以後のＵＬ  ｓＴＴＩを、非周期ＣＳＩを受信するｓＴＴＩとして決定してもよい（第４の態様）。
【０１９６】
また、制御部３０１は、ＣＳＩ要求フィールド値を含むＵＬグラントを受信するＤＬキャリアと当該ＵＬグラントによりＵＬ共有チャネルが割り当てられるＵＬキャリアとのｓＴＴＩ長とが異なる場合、当該ＵＬグラントを送信するＤＬ  ｓＴＴＩに対応するＵＬ  ｓＴＴＩから所定期間以後のＵＬ  ｓＴＴＩを、非周期ＣＳＩを受信するｓＴＴＩとして決定してもよい（第４の態様）。
【０１９７】
制御部３０１は、本発明に係る技術分野での共通認識に基づいて説明されるコントローラ、制御回路又は制御装置から構成することができる。
【０１９８】
送信信号生成部３０２は、制御部３０１からの指示に基づいて、ＤＬ信号（ＤＬデータ、スケジューリング情報、ｓＴＴＩ設定情報を含む）を生成して、マッピング部３０３に出力する。
【０１９９】
送信信号生成部３０２は、本発明に係る技術分野での共通認識に基づいて説明される信号生成器、信号生成回路又は信号生成装置とすることができる。
【０２００】
マッピング部３０３は、制御部３０１からの指示に基づいて、送信信号生成部３０２で生成されたＤＬ信号を、所定の無線リソースにマッピングして、送受信部１０３に出力する。マッピング部３０３は、本発明に係る技術分野での共通認識に基づいて説明されるマッパー、マッピング回路又はマッピング装置とすることができる。
【０２０１】
受信信号処理部３０４は、ユーザ端末２０から送信されるＵＬ信号（例えば、ＵＬデータ信号、ＵＬ制御信号、ＵＣＩ、ｓＴＴＩサポート情報など）に対して、受信処理（例えば、デマッピング、復調、復号など）を行う。具体的には、受信信号処理部３０４は、ユーザ端末２０に設定されたニューメロロジーに基づいて、ＵＬ信号の受信処理を行う。また、受信信号処理部３０４は、受信信号や、受信処理後の信号を、測定部３０５に出力してもよい。また、受信信号処理部３０４は、ＤＬ信号のＡ／Ｎに対して受信処理を行い、ＡＣＫ又はＮＡＣＫを制御部３０１に出力する。
【０２０２】
測定部３０５は、受信した信号に関する測定を実施する。測定部３０５は、本発明に係る技術分野での共通認識に基づいて説明される測定器、測定回路又は測定装置から構成することができる。
【０２０３】
測定部３０５は、例えば、ＵＬ参照信号の受信電力（例えば、ＲＳＲＰ（Reference  Signal  Received  Power））及び／又は受信品質（例えば、ＲＳＲＱ（Reference  Signal  Received  Quality））に基づいて、ＵＬのチャネル品質を測定してもよい。測定結果は、制御部３０１に出力されてもよい。
【０２０４】
＜ユーザ端末＞
図１６は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。
【０２０５】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【０２０６】
ベースバンド信号処理部２０４は、入力されたベースバンド信号に対して、ＦＦＴ処理や、誤り訂正復号、再送制御の受信処理などを行う。ＤＬデータは、アプリケーション部２０５に転送される。アプリケーション部２０５は、物理レイヤやＭＡＣレイヤより上位のレイヤに関する処理などを行う。また、ブロードキャスト情報もアプリケーション部２０５に転送される。
【０２０７】
一方、ＵＬデータについては、アプリケーション部２０５からベースバンド信号処理部２０４に入力される。ベースバンド信号処理部２０４では、再送制御の送信処理（例えば、ＨＡＲＱの送信処理）や、チャネル符号化、レートマッチング、パンクチャ、離散フーリエ変換（ＤＦＴ：Discrete  Fourier  Transform）処理、ＩＦＦＴ処理などが行われて各送受信部２０３に転送される。ＵＣＩ（例えば、ＤＬの再送制御情報、チャネル状態情報など）についても、チャネル符号化、レートマッチング、パンクチャ、ＤＦＴ処理、ＩＦＦＴ処理などが行われて各送受信部２０３に転送される。
【０２０８】
送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０２０９】
また、送受信部２０３は、ユーザ端末２０に設定されたニューメロロジーのＤＬ信号（ＤＬデータ信号、ＤＬ制御信号、ＤＬ参照信号を含む）を受信し、当該ニューメロロジーのＵＬ信号（ＵＬデータ信号、ＵＬ制御信号、ＵＬ参照信号を含む）を送信する。
【０２１０】
また、送受信部２０３は、ＵＬ共有チャネル（例えば、ＰＵＳＣＨ）又はＵＬ制御チャネル（例えば、ＰＵＣＣＨ）を用いて、無線基地局１０に対して、ＵＣＩを送信する。当該ＵＣＩは、ＤＬ共有チャネル（例えば、ＰＤＳＣＨ、ｓＴＴＩ用のｓＰＤＳＣＨ）のＡ／Ｎ、ＣＳＩ、ＳＲの少なくとも一つを含む。
【０２１１】
また、送受信部２０３は、無線基地局１０に対して、ｓＴＴＩサポート情報を送信してもよい（第５の態様）。また、送受信部２０３は、無線基地局１０から、ｓＴＴＩ設定情報を受信してもよい（第５の態様）。
【０２１２】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０２１３】
図１７は、本実施の形態に係るユーザ端末の機能構成の一例を示す図である。なお、図１７においては、本実施の形態における特徴部分の機能ブロックを主に示しており、ユーザ端末２０は、無線通信に必要な他の機能ブロックも有しているものとする。図１７に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０２１４】
制御部４０１は、ユーザ端末２０全体の制御を実施する。制御部４０１は、例えば、送信信号生成部４０２によるＵＬ信号の生成や、マッピング部４０３によるＵＬ信号のマッピング、受信信号処理部４０４によるＤＬ信号の受信処理、測定部４０５による測定を制御する。
【０２１５】
また、制御部４０１は、ユーザ端末２０に対してｓＴＴＩ長が同一及び／又は異なる複数のキャリア（ＤＬキャリア及び／又はＵＬキャリア）を設定してもよい。当該複数のキャリアは、無線基地局１０からの上位レイヤシグナリング（例えば、ＲＲＣシグナリング）、システム情報、Ｌ１／Ｌ２制御チャネルの少なくとも一つを用いて設定されればよい。
【０２１６】
また、制御部４０１は、ＤＬ共有チャネルのＡ／Ｎを含むＵＣＩを送信するｓＴＴＩ（フィードバックｓＴＴＩ）を決定してもよい。具体的には、制御部４０１は、ＤＬ共有チャネルを受信するＤＬキャリアとＵＬ共有チャネルを送信するＵＬキャリアとのｓＴＴＩ長が同一である場合、フィードバックｓＴＴＩとして、当該ＤＬ共有チャネルを受信するＤＬ  ｓＴＴＩから所定期間以後のＵＬ  ｓＴＴＩを決定してもよい（第１−第３の態様）。
【０２１７】
また、制御部４０１は、ＤＬ共有チャネルを受信するＤＬキャリアとＵＬ共有チャネルを送信するＵＬキャリアとのｓＴＴＩ長が異なる場合、フィードバックｓＴＴＩとして、当該ＤＬ共有チャネルを受信するＤＬ  ｓＴＴＩ（第１のＴＴＩ）から所定期間以後の最も早いＵＬキャリアのＵＬ  ｓＴＴＩ（第２のＴＴＩ）を決定してもよい（第１−第３の態様）。
【０２１８】
また、制御部４０１は、ＤＬ共有チャネルを受信するＤＬキャリアとｓＴＴＩ長が同一及び／又は異なる一以上のＵＬキャリアにおけるＵＬ共有チャネルの割り当てに基づいて、当該ＤＬ共有チャネルのＡ／Ｎを含むＵＣＩの送信を制御してもよい。具体的には、制御部４０１は、上記フィードバックｓＴＴＩにおける上記ＵＬ共有チャネルの割り当てに基づいて、上記Ａ／Ｎを含むＵＣＩの送信を制御してもよい。
【０２１９】
例えば、制御部４０１は、同一のｓＴＴＩ長の一以上のＵＬキャリアと、当該ＵＬキャリアと同一及び／又は異なる一以上のＤＬキャリアと、を含むｓＴＴＩグループを設定し、当該ＤＬ共有チャネルを受信するＤＬキャリアと同一のグループ内で、上記Ａ／Ｎを含むＵＣＩを送信するＵＬキャリアを決定してもよい（第１の態様）。
【０２２０】
また、制御部４０１は、ＵＬ共有チャネルが割り当てられる一以上のＵＬキャリアのｓＴＴＩ長に基づいて、上記Ａ／Ｎを含むＵＣＩを送信するＵＬキャリアを決定してもよい（第２の態様）。また、制御部４０１は、ＵＬ共有チャネルを割り当てるＵＬグラントに含まれる指示情報に基づいて、上記Ａ／Ｎを含むＵＣＩを送信するＵＬキャリアを決定してもよい（第３の態様）。
【０２２１】
また、制御部４０１は、ＵＬグラントを受信するＤＬキャリアと当該ＵＬグラントによりＵＬ共有チャネルが割り当てられるＵＬキャリアとのｓＴＴＩ長とが同一である場合、当該ＵＬグラントを受信するＤＬ  ｓＴＴＩから所定期間以後のＵＬ  ｓＴＴＩを、当該ＵＬ共有チャネルを送信するｓＴＴＩとして決定してもよい（第１−第４の態様）。
【０２２２】
また、制御部４０１は、ＵＬグラントを受信するＤＬキャリアと当該ＵＬグラントによりＵＬ共有チャネルが割り当てられるＵＬキャリアとのｓＴＴＩ長とが異なる場合、当該ＵＬグラントを受信するＤＬ  ｓＴＴＩ（第３のＴＴＩ）に対応するＵＬ  ｓＴＴＩ（第４のｓＴＴＩ）から所定期間以後のＵＬ  ｓＴＴＩ（第５のＴＴＩ）を、当該ＵＬ共有チャネルを送信するｓＴＴＩとして決定してもよい（第１−第４の態様）。
【０２２３】
また、制御部４０１は、非周期のＣＳＩ報告を制御してもよい。具体的には、制御部４０１は、ＣＳＩ要求フィールド値を含むＵＬグラントを受信する場合、当該ＣＳＩ要求フィールド値に基づいて、非周期ＣＳＩを含むＵＣＩを生成及び送信するように制御する。
【０２２４】
例えば、制御部４０１は、ＣＳＩ要求フィールド値を含むＵＬグラントを受信するＤＬキャリアと当該ＵＬグラントによりＵＬ共有チャネルが割り当てられるＵＬキャリアとのｓＴＴＩ長とが同一である場合、当該ＵＬグラントを受信するＤＬ  ｓＴＴＩから所定期間以後のＵＬ  ｓＴＴＩを、非周期ＣＳＩを送信するｓＴＴＩとして決定してもよい（第４の態様）。
【０２２５】
また、制御部３０１は、ＣＳＩ要求フィールド値を含むＵＬグラントを受信するＤＬキャリアと当該ＵＬグラントによりＵＬ共有チャネルが割り当てられるＵＬキャリアとのｓＴＴＩ長とが異なる場合、当該ＵＬグラントを受信するＤＬ  ｓＴＴＩに対応するＵＬ  ｓＴＴＩから所定期間以後のＵＬ  ｓＴＴＩを、非周期ＣＳＩを送信するｓＴＴＩとして決定してもよい（第４の態様）。
【０２２６】
制御部４０１は、本発明に係る技術分野での共通認識に基づいて説明されるコントローラ、制御回路又は制御装置から構成することができる。
【０２２７】
送信信号生成部４０２は、制御部４０１からの指示に基づいて、ＵＬ信号（ＵＬデータ信号、ＵＬ制御信号、ＵＬ参照信号、ＵＣＩ、ｓＴＴＩサポート情報を含む）を生成（例えば、符号化、レートマッチング、パンクチャ、変調など）して、マッピング部４０３に出力する。送信信号生成部４０２は、本発明に係る技術分野での共通認識に基づいて説明される信号生成器、信号生成回路又は信号生成装置とすることができる。
【０２２８】
マッピング部４０３は、制御部４０１からの指示に基づいて、送信信号生成部４０２で生成されたＵＬ信号を無線リソースにマッピングして、送受信部２０３へ出力する。マッピング部４０３は、本発明に係る技術分野での共通認識に基づいて説明されるマッパー、マッピング回路又はマッピング装置とすることができる。
【０２２９】
受信信号処理部４０４は、ＤＬ信号（ＤＬデータ信号、スケジューリング情報、ＤＬ制御信号、ＤＬ参照信号、ｓＴＴＩ設定情報）に対して、受信処理（例えば、デマッピング、復調、復号など）を行う。受信信号処理部４０４は、無線基地局１０から受信した情報を、制御部４０１に出力する。受信信号処理部４０４は、例えば、報知情報、システム情報、ＲＲＣシグナリングなどの上位レイヤシグナリングによる上位レイヤ制御情報、物理レイヤ制御情報（Ｌ１／Ｌ２制御情報）などを、制御部４０１に出力する。
【０２３０】
受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０２３１】
測定部４０５は、無線基地局１０からの参照信号（例えば、ＣＳＩ−ＲＳ）に基づいて、チャネル状態を測定し、測定結果を制御部４０１に出力する。なお、チャネル状態の測定は、ＣＣ毎に行われてもよい。
【０２３２】
測定部４０５は、本発明に係る技術分野での共通認識に基づいて説明される信号処理器、信号処理回路又は信号処理装置、並びに、測定器、測定回路又は測定装置から構成することができる。
【０２３３】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に（例えば、有線及び／又は無線）で接続し、これら複数の装置により実現されてもよい。
【０２３４】
例えば、本実施の形態における無線基地局、ユーザ端末などは、本発明の無線通信方法の処理を行うコンピュータとして機能してもよい。図１８は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２３５】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２３６】
例えば、プロセッサ１００１は１つだけ図示されているが、複数のプロセッサがあってもよい。また、処理は、１のプロセッサで実行されてもよいし、処理が同時に、逐次に、又はその他の手法で、１以上のプロセッサで実行されてもよい。なお、プロセッサ１００１は、１以上のチップで実装されてもよい。
【０２３７】
無線基地局１０及びユーザ端末２０における各機能は、例えば、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【０２３８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述のベースバンド信号処理部１０４（２０４）、呼処理部１０５などは、プロセッサ１００１で実現されてもよい。
【０２３９】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態で説明した動作の少なくとも一部をコンピュータに実行させるプログラムが用いられる。例えば、ユーザ端末２０の制御部４０１は、メモリ１００２に格納され、プロセッサ１００１で動作する制御プログラムによって実現されてもよく、他の機能ブロックについても同様に実現されてもよい。
【０２４０】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つで構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０２４１】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つで構成されてもよい。ストレージ１００３は、補助記憶装置と呼ばれてもよい。
【０２４２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４で実現されてもよい。
【０２４３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２４４】
また、プロセッサ１００１やメモリ１００２などの各装置は、情報を通信するためのバス１００７で接続される。バス１００７は、単一のバスで構成されてもよいし、装置間で異なるバスで構成されてもよい。
【０２４５】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０２４６】
（変形例）
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２４７】
また、無線フレームは、時間領域において１つ又は複数の期間（フレーム）で構成されてもよい。無線フレームを構成する当該１つ又は複数の各期間（フレーム）は、サブフレームと呼ばれてもよい。さらに、サブフレームは、時間領域において１つ又は複数のスロットで構成されてもよい。さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）で構成されてもよい。
【０２４８】
無線フレーム、サブフレーム、スロット及びシンボルは、いずれも信号を伝送する際の時間単位を表す。無線フレーム、サブフレーム、スロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロットがＴＴＩと呼ばれてもよい。つまり、サブフレームやＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。
【０２４９】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅や送信電力など）を、ＴＴＩ単位で割り当てるスケジューリングを行う。なお、ＴＴＩの定義はこれに限られない。ＴＴＩは、チャネル符号化されたデータパケット（トランスポートブロック）の送信時間単位であってもよいし、スケジューリングやリンクアダプテーションなどの処理単位となってもよい。
【０２５０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、短縮サブフレーム、又はショートサブフレームなどと呼ばれてもよい。
【０２５１】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１サブフレーム又は１ＴＴＩの長さであってもよい。１ＴＴＩ、１サブフレームは、それぞれ１つ又は複数のリソースブロックで構成されてもよい。なお、ＲＢは、物理リソースブロック（ＰＲＢ：Physical  RB）、ＰＲＢペア、ＲＢペアなどと呼ばれてもよい。
【０２５２】
また、リソースブロックは、１つ又は複数のリソースエレメント（ＲＥ：Resource  Element）で構成されてもよい。例えば、１ＲＥは、１サブキャリア及び１シンボルの無線リソース領域であってもよい。
【０２５３】
なお、上述した無線フレーム、サブフレーム、スロット及びシンボルなどの構造は例示に過ぎない。例えば、無線フレームに含まれるサブフレームの数、サブフレームに含まれるスロットの数、スロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２５４】
また、本明細書で説明した情報、パラメータなどは、絶対値で表されてもよいし、所定の値からの相対値で表されてもよいし、対応する別の情報で表されてもよい。例えば、無線リソースは、所定のインデックスで指示されるものであってもよい。さらに、これらのパラメータを使用する数式などは、本明細書で明示的に開示したものと異なってもよい。
【０２５５】
本明細書においてパラメータなどに使用する名称は、いかなる点においても限定的なものではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的なものではない。
【０２５６】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２５７】
また、情報、信号などは、上位レイヤから下位レイヤ、及び／又は下位レイヤから上位レイヤへ出力され得る。情報、信号などは、複数のネットワークノードを介して入出力されてもよい。
【０２５８】
入出力された情報、信号などは、特定の場所（例えば、メモリ）に保存されてもよいし、管理テーブルで管理してもよい。入出力される情報、信号などは、上書き、更新又は追記をされ得る。出力された情報、信号などは、削除されてもよい。入力された情報、信号などは、他の装置へ送信されてもよい。
【０２５９】
情報の通知は、本明細書で説明した態様／実施形態に限られず、他の方法で行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２６０】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））で通知されてもよい。
【０２６１】
また、所定の情報の通知（例えば、「Ｘであること」の通知）は、明示的に行うものに限られず、暗示的に（例えば、当該所定の情報の通知を行わないことによって又は別の情報の通知によって）行われてもよい。
【０２６２】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２６３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２６４】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２６５】
本明細書で使用する「システム」及び「ネットワーク」という用語は、互換的に使用される。
【０２６６】
本明細書では、「基地局（ＢＳ：Base  Station）」、「無線基地局」、「ｅＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２６７】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head）によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２６８】
本明細書では、「移動局（ＭＳ：Mobile  Station）」、「ユーザ端末（user  terminal）」、「ユーザ装置（ＵＥ：User  Equipment）」及び「端末」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２６９】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２７０】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」や「下り」などの文言は、「サイド」と読み替えられてもよい。例えば、上りチャネルは、サイドチャネルと読み替えられてもよい。
【０２７１】
同様に、本明細書におけるユーザ端末は、無線基地局で読み替えてもよい。この場合、上述のユーザ端末２０が有する機能を無線基地局１０が有する構成としてもよい。
【０２７２】
本明細書において、基地局によって行われるとした特定動作は、場合によってはその上位ノード（upper  node）によって行われることもある。基地局を有する１つ又は複数のネットワークノード（network  nodes）から成るネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２７３】
本明細書で説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２７４】
本明細書で説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２７５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２７６】
本明細書で使用する「第１の」、「第２の」などの呼称を使用した要素へのいかなる参照も、それらの要素の量又は順序を全般的に限定するものではない。これらの呼称は、２つ以上の要素間を区別する便利な方法として本明細書で使用され得る。したがって、第１及び第２の要素の参照は、２つの要素のみが採用され得ること又は何らかの形で第１の要素が第２の要素に先行しなければならないことを意味しない。
【０２７７】
本明細書で使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベースまたは別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２７８】
本明細書で使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０２７９】
本明細書又は特許請求の範囲で「含む（including）」、「含んでいる（comprising）」、及びそれらの変形が使用されている場合、これらの用語は、用語「備える」と同様に、包括的であることが意図される。さらに、本明細書あるいは特許請求の範囲において使用されている用語「又は（or）」は、排他的論理和ではないことが意図される。
【０２８０】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０２８１】
本出願は、２０１６年７月１２日出願の特願２０１６−１３７９１９に基づく。この内容は、全てここに含めておく。
【図１】
2018012456.tif 000003
【図２】
2018012456.tif 000004
【図３】
2018012456.tif 000005
【図４】
2018012456.tif 000006
【図５】
2018012456.tif 000007
【図６】
2018012456.tif 000008
【図７】
2018012456.tif 000009
【図８】
2018012456.tif 000010
【図９】
2018012456.tif 000011
【図１０】
2018012456.tif 000012
【図１１】
2018012456.tif 000013
【図１２】
2018012456.tif 000014
【図１３】
2018012456.tif 000015
【図１４】
2018012456.tif 000016
【図１５】
2018012456.tif 000017
【図１６】
2018012456.tif 000018
【図１７】
2018012456.tif 000019
【図１８】
2018012456.tif 000020
【国際調査報告】
2018012456.tif 000021
2018012456.tif 000022
2018012456.tif 000023